(57)【要約】  ＦＨ再送方法とＰＨＩＣＨグループ化方法とを組み合わせて用いる場合に、移動局間のＰＨＩＣＨの衝突を回避することができる無線通信基地局装置。上り回線データが割り当てられる複数のＲＢ（Resource Block）が、連続する複数Ｍ個（Ｍは自然数）のＲＢ毎に複数のブロックにブロック化されるとともに、連続する複数Ｎ個（Ｎは自然数）のＲＢ毎に複数のグループにグループ化される無線通信システムにおいて使用される基地局（１００）であって、分離部（１１５）は、複数のＲＢを複数のブロック毎にホッピングさせるホッピングパターンに従って、複数のＲＢから複数の移動局毎に上り回線データを抽出する。また、マッピング部（１０３）は、複数のグループと複数のＰＨＩＣＨとの関連付けに従って、移動局毎の上り回線データに対する応答信号が割り当てられた複数のＰＨＩＣＨを、下り回線リソースにマッピングする。ただし、前記Ｍは前記Ｎの自然数倍である。
2009119067.tif 000002
【特許請求の範囲】
【請求項１】
上り回線データが割り当てられる複数のリソースブロックが、連続する複数Ｍ個（Ｍは自然数）のリソースブロック毎に複数のブロックにブロック化されるとともに、連続する複数Ｎ個（Ｎは自然数）のリソースブロック毎に複数のグループにグループ化される無線通信システムにおいて使用される無線通信基地局装置であって、
前記複数のリソースブロックを前記複数のブロック毎にホッピングさせるホッピングパターンに従って、前記複数のリソースブロックから複数の無線通信移動局装置毎に上り回線データを抽出する抽出手段と、
前記複数のグループと複数の制御チャネルとの関連付けに従って、前記上り回線データに対する応答信号が割り当てられた前記複数の制御チャネルを下り回線リソースにマッピングするマッピング手段と、を具備し、
前記Ｍは前記Ｎの自然数倍である、
無線通信基地局装置。
【請求項２】
前記Ｍと前記Ｎとが同数である、
請求項１記載の無線通信基地局装置。
【請求項３】
上り回線データが割り当てられる複数のリソースブロックが、連続する複数Ｍ個（Ｍは自然数）のリソースブロック毎に複数のブロックにブロック化されるとともに、連続する複数Ｎ個（Ｎは自然数）のリソースブロック毎に複数のグループにグループ化される無線通信システムにおいて使用される無線通信方法であって、
前記複数のリソースブロックを前記複数のブロック毎にホッピングさせるホッピングパターンに従って、前記複数のリソースブロックから複数の無線通信移動局装置毎に上り回線データを抽出し、
前記複数のグループと複数の制御チャネルとの関連付けに従って、前記上り回線データに対する応答信号が割り当てられた前記複数の制御チャネルを下り回線リソースにマッピングする無線通信方法であって、
前記Ｍは前記Ｎの自然数倍である、
無線通信方法。
【発明の詳細な説明】
【技術分野】
【０００１】
本発明は、無線通信基地局装置および無線通信方法に関する。
【背景技術】
【０００２】
近年、無線通信、特に移動体通信では、音声以外に画像やデータなどの様々な情報が伝送の対象になっている。今後は、高速な伝送に対する要求がさらに高まるであろうと予想される。高い伝送効率を実現する無線通信技術として、現在、３ＧＰＰ（3rd Generation Partnership Project）において、次世代移動通信システムであるＬＴＥ（Long Term Evolution）の検討が進められている。ＬＴＥの上り回線アクセス方式として、ＳＣ−ＦＤＭＡ（Single-carrier FDMA）が議論されている。【０００３】
ＳＣ−ＦＤＭＡでは、上り回線データが無線通信移動局装置（以下、単に移動局という）毎にシステム帯域のＲＢ（Resource Block）に割り当てられ、移動局間の上り回線データが周波数分割多重される。このため、移動局間で上り回線データが衝突せずに通信することができる。【０００４】
また、移動体通信では、上り回線で移動局から無線通信基地局装置（以下、単に基地局という）へ伝送される上り回線データに対してＡＲＱ（Automatic Repeat reQuest）が適用され、上り回線データの誤り検出結果を示す応答信号が下り回線で移動局へフィードバックされる。基地局は上り回線データに対しＣＲＣ（Cyclic Redundancy Check）判定を行って、ＣＲＣ＝ＯＫ（誤り無し）であればＡＣＫ（Acknowledgment）信号を、ＣＲＣ＝ＮＧ（誤り有り）であればＮＡＣＫ（Negative Acknowledgment）信号を応答信号として移動局へフィードバックする。【０００５】
ここで、上り回線データに同期ＨＡＲＱ（Synchronous Hybrid ARQ）を適用することが検討されている。同期ＨＡＲＱでは、基地局は上り回線データの受信後、所定時間経過後に応答信号を移動局へフィードバックし、移動局は、基地局からＮＡＣＫ信号がフィードバックされた場合には、ＮＡＣＫ信号の受信後、所定時間経過後に、予め決定されたＲＢを用いて上り回線データを基地局へ再送する。【０００６】
また、同期ＨＡＲＱにおける再送方法として、初回送信時と再送時とで上り回線データを割り当てるＲＢを周波数領域でホッピングさせる周波数ホッピング（ＦＨ：Frequency Hopping）再送方法がある。ＦＨ再送方法では、初回送信時に上り回線データを割り当てるＲＢと、再送時に上り回線データを割り当てるＲＢとが異なるため、周波数ダイバーシチ効果を得ることができる。なお、基地局および移動局では、予め設定されたＦＨパターンをそれぞれが所有することで、周波数ホッピングを行った再送時の上り回線データが割り当てられたＲＢを判別して通信を行っている。【０００７】
ＦＨ再送方法で用いるＦＨパターンとして、上り回線データが割り当てられる複数のＲＢが、連続する複数個のＲＢ毎に複数のブロックにブロック化され、複数のＲＢをブロック毎にホッピングさせるＦＨパターンと、ＲＢをミラーリングさせるＦＨパターンとが検討されている（例えば、非特許文献１参照）。ＲＢをブロック毎にホッピングさせるＦＨパターンでは、例えば、すべての上り回線ＲＢを半分に分割して２つのブロックにブロック化し、上り回線ＲＢをブロック毎にホッピングさせる。この場合、再送時の上り回線データは、初回送信時に割り当てられたＲＢを構成するブロックと異なるブロックのＲＢに割り当てられる。また、ＲＢをミラーリングさせるＦＨパターンでは、ＲＢ番号がより小さいＲＢほど、ＲＢ番号がより大きいＲＢにホッピングされる。すなわち、再送時の上り回線データは、初回送信時に割り当てたＲＢのＲＢ番号と鏡像関係にあるＲＢ番号のＲＢに割り当てられる。【０００８】
また、基地局は、上り回線データを送信した移動局に対する応答信号を下り回線でフィードバックするための制御チャネルとしてＰＨＩＣＨ（Physical Hybrid-ARQ Indicator Channel）を用いる。ＰＨＩＣＨは、基地局で下り回線の他のチャネルと多重され、移動局に送信される。また、ＰＨＩＣＨは、移動局毎に必要な制御チャネルであり、移動局毎にＰＨＩＣＨを割り当てる必要がある。【０００９】
また、同期ＨＡＲＱにおいて、下り回線の通信リソースを効率良く使用するために、上り回線データを割り当てる上り回線ＲＢに、下り回線で応答信号を伝送するためのＰＨＩＣＨを関連付けることが検討されている。例えば、上り回線データを割り当てる上り回線ＲＢのＲＢ番号と、ＰＨＩＣＨのチャネル番号とを１対１で関連付ける方法が検討されている（例えば、非特許文献２参照）。これにより、移動局は、ＰＨＩＣＨの割当情報を別途通知されなくても、基地局からの上り回線ＲＢの割当情報に従って自局宛てのＰＨＩＣＨを判断することができるため、シグナリング量を削減することができる。なお、上り回線データが複数のＲＢに割り当てられる場合、ＲＢ番号が最も小さいＲＢに関連付けられたＰＨＩＣＨを使用する。【００１０】
また、複数のＲＢが連続する複数個のＲＢ毎に複数のグループにグループ化され、グループ毎に１つのＰＨＩＣＨを関連付けることにより、ＰＨＩＣＨの総リソース量をさらに削減するＰＨＩＣＨグループ化方法が用いられる。
【非特許文献１】3GPP RAN WG1 Meeting document, R1-080683, “Frequency Hopping Pattern for PUSCH”, Samsung, LGE, NEC, Qualcomm, ZTE
【非特許文献２】3GPP RAN WG1 Meeting document, R1-070932, “Assignment of Downlink ACK/NACK channel”, Panasonic
【発明の開示】
【発明が解決しようとする課題】
【００１１】
最近検討されているＦＨ再送方法とＰＨＩＣＨグループ化方法とを組み合わせて用いることが考えられる。以下、具体的なＲＢ割当例について説明する。以下の説明では、基地局は、図１に示す上り回線ＲＢ＃１〜＃１０のいずれかを用いて移動局から送信された上り回線データを受信する。そして、基地局は、上り回線データに対する応答信号（ＡＣＫ信号またはＮＡＣＫ信号）を図１に示すＰＨＩＣＨ＃１〜＃５に割り当てて移動局へ送信するものとする。ここで、図１に示すように、ＲＢ＃１〜＃１０は、連続する２ＲＢ毎に複数のグループにグループ化され、グループ毎に１つのＰＨＩＣＨが関連付けられる。例えば、図１に示すように、ＲＢ＃１およびＲＢ＃２がグループ化され、ＲＢ＃１とＲＢ＃２とからなるグループにＰＨＩＣＨ＃１が関連付けられる。同様に、ＲＢ＃３およびＲＢ＃４がグループ化され、ＲＢ＃３とＲＢ＃４とからなるグループにＰＨＩＣＨ＃２が関連付けられる。ＲＢ＃５〜＃１０についても同様である。【００１２】
図２は、ＲＢ＃１〜＃１０を複数のブロックにブロック化して、複数のＲＢをブロック毎にホッピングさせるＦＨパターンを示す。具体的には、図２に示す上り回線ＲＢ＃１〜＃１０は、５ＲＢずつにブロック化され、ＲＢ＃１〜＃５からなるブロックおよびＲＢ＃６〜＃１０からなるブロックに分割される。そして、初回送信時に１つのブロックを構成するＲＢ＃１〜＃５は、再送時にはＲＢ＃６〜＃１０にそれぞれホッピングされる。同様にして、初回送信時に１つのブロックを構成するＲＢ＃６〜＃１０は、再送時にはＲＢ＃１〜＃５にそれぞれホッピングされる。【００１３】
例えば、図３上段に示すように、初回送信時に、移動局１の上り回線データがＲＢ＃１〜＃４に割り当てられ、移動局２の上り回線データがＲＢ＃１０に割り当てられた場合について説明する。図３上段に示すように、移動局１の上り回線データが割り当てられたＲＢ＃１〜＃４のうちＲＢ番号が最も小さいＲＢはＲＢ＃１である。そこで、移動局１の初回送信時の上り回線データに対する応答信号は、図１に示す関連付けより、ＰＨＩＣＨ＃１に割り当てられる。同様にして、移動局２の初回送信時の上り回線データに対する応答信号は、図１に示す関連付けより、ＰＨＩＣＨ＃５に割り当てられる。【００１４】
ここで、上り回線データに誤りがあり、上り回線データの再送が必要である場合、図３下段に示すように、移動局１の再送時の上り回線データは、図２に示すＦＨパターンに従って、ＲＢ＃６〜＃９に割り当てられる。また、移動局２の再送時の上り回線データは、図２に示すＦＨパターンに従って、ＲＢ＃５に割り当てられる。ここで、図３下段に示すように、移動局１の上り回線データが割り当てられたＲＢ＃６〜＃９のうちＲＢ番号が最も小さいＲＢはＲＢ＃６である。そこで、移動局１の再送時の上り回線データに対する応答信号は、ＲＢ＃６に関連付けられたＰＨＩＣＨ＃３に割り当てられる。同様にして、移動局２の再送時の上り回線データに対する応答信号は、ＲＢ＃５に関連付けられたＰＨＩＣＨ＃３に割り当てられる。すなわち、移動局１および移動局２の初回送信時の上り回線データに対する応答信号が互いに異なるＰＨＩＣＨに割り当てられたにもかかわらず、再送時には、移動局１の上り回線データに対する応答信号と、移動局２の上り回線データに対する応答信号とが同一のＰＨＩＣＨ＃３に割り当てられてしまう。このため、移動局間でＰＨＩＣＨの衝突が発生してしまう。【００１５】
次に、図４は、複数のＲＢをミラーリングさせるＦＨパターンを示す。具体的には、図４に示す上り回線ＲＢ＃１〜＃１０では、ＲＢ番号がより小さいＲＢほど、ＲＢ番号がより大きいＲＢ番号のＲＢにホッピングされる。例えば、初回送信時のＲＢ＃１は、再送時にはＲＢ＃１０にホッピングされる。同様にして、初回送信時のＲＢ＃２は、再送時にはＲＢ＃９にホッピングされる。ＲＢ＃３〜＃１０についても同様である。【００１６】
例えば、図５上段に示すように、初回送信時に、移動局１の上り回線データがＲＢ＃１〜＃３に割り当てられ、移動局２の上り回線データがＲＢ＃４に割り当てられた場合について説明する。図５上段に示すように、移動局１の上り回線データが割り当てられたＲＢ＃１〜＃３のうちＲＢ番号が最も小さいＲＢはＲＢ＃１である。そこで、移動局１の初回送信時の上り回線データに対する応答信号は、図１に示す関連付けより、ＰＨＩＣＨ＃１に割り当てられる。同様にして、移動局２の初回送信時の上り回線データに対する応答信号は、図１に示す関連付けより、ＰＨＩＣＨ＃２に割り当てられる。【００１７】
ここで、上り回線データに誤りがあり、上り回線データの再送が必要である場合、図５下段に示すように、再送時には、移動局１の上り回線データは、図４に示すＦＨパターンに従って、ＲＢ＃１０〜＃８に割り当てられる。また、移動局２の上り回線データは、図４に示すＦＨパターンに従って、ＲＢ＃７に割り当てられる。図５下段に示すように、移動局１の上り回線データが割り当てられたＲＢ＃１０〜＃８のうちＲＢ番号が最も小さいＲＢはＲＢ＃８である。そこで、移動局１の再送時の上り回線データに対する応答信号は、ＲＢ＃８に関連付けられたＰＨＩＣＨ＃４に割り当てられる。同様にして、移動局２の再送時の上り回線データに対する応答信号は、ＲＢ＃７に関連付けられたＰＨＩＣＨ＃４に割り当てられる。すなわち、移動局１および移動局２の初回送信時の上り回線データに対する応答信号が互いに異なるＰＨＩＣＨに割り当てられたにもかかわらず、再送時には、移動局１の上り回線データに対する応答信号と、移動局２の上り回線データに対する応答信号とが同一のＰＨＩＣＨ＃４に割り当てられてしまう。このため、移動局間でＰＨＩＣＨの衝突が発生してしまう。【００１８】
このように、ＦＨ再送方法とＰＨＩＣＨグループ化方法とを組み合わせて用いる場合、各移動局の上り回線データが割り当てられるＲＢによっては、再送時に、移動局間でＰＨＩＣＨが衝突してしまう可能性がある。【００１９】
本発明の目的は、ＦＨ再送方法とＰＨＩＣＨグループ化方法とを組み合わせて用いる場合に、移動局間のＰＨＩＣＨの衝突を回避することができる無線通信基地局装置および無線通信方法を提供することである。
【課題を解決するための手段】
【００２０】
本発明の無線通信基地局装置は、上り回線データが割り当てられる複数のリソースブロックが、連続する複数Ｍ個（Ｍは自然数）のリソースブロック毎に複数のブロックにブロック化されるとともに、連続する複数Ｎ個（Ｎは自然数）のリソースブロック毎に複数のグループにグループ化される無線通信システムにおいて使用される無線通信基地局装置であって、前記複数のリソースブロックを前記複数のブロック毎にホッピングさせるホッピングパターンに従って、前記複数のリソースブロックから複数の無線通信移動局装置毎に上り回線データを抽出する抽出手段と、前記複数のグループと複数の制御チャネルとの関連付けに従って、前記上り回線データに対する応答信号が割り当てられた前記複数の制御チャネルを下り回線リソースにマッピングするマッピング手段と、を具備し、前記Ｍは前記Ｎの自然数倍である構成を採る。
【発明の効果】
【００２１】
本発明によれば、ＦＨ再送方法とＰＨＩＣＨグループ化方法とを組み合わせて用いる場合に、移動局間のＰＨＩＣＨの衝突を回避することができる。
【図面の簡単な説明】
【００２２】
【図１】複数の上り回線ＲＢと複数のＰＨＩＣＨとの関連付けを示す図
【図２】複数のＲＢを複数のブロックにブロック化させた場合のＦＨパターンを示す図
【図３】複数のＲＢを複数のブロックにブロック化させたＦＨパターンを用いる場合のＲＢ割当例を示す図
【図４】複数のＲＢをミラーリングさせたＦＨパターンを示す図
【図５】複数のＲＢをミラーリングさせたＦＨパターンを用いる場合のＲＢ割当例を示す図
【図６】本発明の実施の形態１に係る基地局の構成を示すブロック図
【図７】本発明の実施の形態１に係るＦＨパターンを示す図（ＭがＮの２倍の場合）
【図８】本発明の実施の形態１に係るＲＢ割当例を示す図
【図９】本発明の実施の形態１に係るＦＨパターンを示す図（ＭとＮとが同数の場合）
【図１０】本発明の実施の形態１に係るＲＢ割当例を示す図
【図１１】本発明の実施の形態２に係るＲＢ割当例を示す図
【図１２】本発明の実施の形態３に係る複数の上り回線ＲＢと複数のＰＨＩＣＨとの関連付けを示す図
【図１３】本発明の実施の形態３に係るＲＢ割当例を示す図
【発明を実施するための最良の形態】
【００２３】
以下、本発明の実施の形態について、添付図面を参照して詳細に説明する。以下の説明では、下り回線データはＯＤＦＭ（Orthogonal Frequency Division Multiplexing）により伝送され、上り回線データはＳＣ−ＦＤＭＡにより伝送されるものとする。【００２４】
（実施の形態１）
本実施の形態に係る基地局１００の構成を図６に示す。以下の説明では、基地局１００は、上り回線データが割り当てられる複数のＲＢが、連続する複数Ｍ個（Ｍは自然数）のＲＢ毎に複数のブロックにブロック化されるとともに、連続する複数Ｎ個（Ｎは自然数）のＲＢ毎に複数のグループにグループ化される無線通信システムにおいて使用される。【００２５】
なお、説明が煩雑になることを避けるために、図６では、本発明と密接に関連する上り回線データの受信、および、その上り回線データに対する応答信号の下り回線での送信に係わる構成部を示し、本実施の形態では、下り回線データの送信に係わる構成部の図示および説明を省略する。【００２６】
基地局１００において、ＰＨＩＣＨ用の変調部１０２−１〜１０２−ｎ、ＳＣＣＨ（Shared Control Channel；共有制御チャネル）用の符号化部１１および変調部１２からなる符号化・変調部１０５−１〜１０５−ｎ、および、データチャネル用のＩＤＦＴ（Inverse Discrete Fourier Transform）部２１、復調部２２、復号部２３、再送制御部２４およびＣＲＣ（Cyclic Redundancy Check）部２５からなる復調・復号部１１６−１〜１１６−ｎは、基地局１００が通信可能な移動局の数ｎだけ移動局１〜ｎにそれぞれ対応して備えられる。【００２７】
ＰＨＩＣＨ生成部１０１には、各移動局の上り回線データに対する応答信号（ＡＣＫ信号またはＮＡＣＫ信号）が入力される。ＰＨＩＣＨ生成部１０１は、各移動局の上り回線データに対する応答信号を送信するＰＨＩＣＨを移動局毎に生成して、生成したＰＨＩＣＨをそれぞれ対応する変調部１０２に出力する。【００２８】
変調部１０２−１〜１０２−ｎは、移動局毎のＰＨＩＣＨで送信される、移動局毎の応答信号（ＡＣＫ信号またはＮＡＣＫ信号）に対して変調処理を行って、変調後の応答信号をマッピング部１０３に出力する。【００２９】
マッピング部１０３には、上り回線データが割り当てられる複数の上り回線ＲＢがグループ化された複数のグループと複数のＰＨＩＣＨとの関連付けを示すＰＨＩＣＨグループ化情報が予め入力されている。マッピング部１０３は、各移動局の上り回線データへの割当ＲＢを各移動局へ指示する割当情報、および、ＰＨＩＣＨグループ化情報に従って、移動局毎の上り回線データに対する応答信号を、ＯＦＤＭシンボルを構成する複数のサブキャリアのいずれかにマッピングする。つまり、マッピング部１０３は、移動局毎の上り回線データに対する応答信号が割り当てられた複数のＰＨＩＣＨを、ＯＦＤＭシンボルを構成する複数のサブキャリアのいずれかにマッピングする。また、マッピング部１０３は、１つの移動局の上り回線データが複数のＲＢに割り当てられている場合、ＲＢ番号が最も小さいＲＢに関連付けられたＰＨＩＣＨを使用する。マッピング部１０３でのマッピング処理の詳細については後述する。【００３０】
制御信号生成部１０４には、各移動局の上り回線データへの割当ＲＢを各移動局へ指示する割当情報が入力される。制御信号生成部１０４は、割当情報を含む制御信号を移動局毎に生成して、それぞれ対応する符号化部１１に出力する。【００３１】
符号化・変調部１０５−１〜１０５−ｎにおいて、各符号化部１１は、移動局毎のＳＣＣＨで送信される、移動局毎の制御信号に対して符号化処理を行い、各変調部１２は、符号化後の制御信号に対して変調処理を行ってマッピング部１０６に出力する。【００３２】
マッピング部１０６は、各移動局への制御信号を、ＯＦＤＭシンボルを構成する複数のサブキャリアのいずれかにマッピングして多重部１０７に出力する。つまり、マッピング部１０６は、移動局毎の複数のＳＣＣＨを、ＯＦＤＭシンボルを構成する複数のサブキャリアのいずれかにマッピングする。【００３３】
多重部１０７は、マッピング部１０３から入力される応答信号、マッピング部１０６から入力される制御信号を時間多重してＩＦＦＴ（Inverse Fast Fourier Transform）部１０８に出力する。【００３４】
ＩＦＦＴ部１０８は、複数のサブキャリアにマッピングされた応答信号または制御信号に対してＩＦＦＴを行ってＯＦＤＭシンボルを生成する。【００３５】
ＣＰ（Cyclic Prefix）付加部１０９は、ＯＦＤＭシンボルの後尾部分と同じ信号をＣＰとしてＯＦＤＭシンボルの先頭に付加する。【００３６】
無線送信部１１０は、ＣＰ付加後のＯＦＤＭシンボルに対しＤ／Ａ変換、増幅およびアップコンバート等の送信処理を行ってアンテナ１１１から各移動局へ送信する。【００３７】
一方、無線受信部１１２は、最大ｎ個の移動局から同時に送信されたｎ個のＳＣ−ＦＤＭＡシンボルをアンテナ１１１を介して受信し、これらのＳＣ−ＦＤＭＡシンボルに対しダウンコンバート、Ａ／Ｄ変換等の受信処理を行う。【００３８】
ＣＰ除去部１１３は、受信処理後のＯＦＤＭシンボルからＣＰを除去する。【００３９】
ＦＦＴ（Fast Fourier Transform）部１１４は、ＣＰ除去後のＯＦＤＭシンボルに対してＦＦＴを行って、周波数領域で多重された移動局毎の信号を得る。なお、各移動局は互いに異なるＲＢを用いて信号を送信している。【００４０】
分離部１１５には、複数の移動局の上り回線データが割り当てられる複数のＲＢを複数のブロック毎にホッピングさせるＦＨパターンが予め入力されている。分離部１１５は、移動局に通知した割当情報、再送制御部２４から入力される再送回数および再送時のＦＨパターンに従って、上り回線データが割り当てられた複数のＲＢから複数の移動局毎に上り回線データを抽出することで、上り回線データを複数の移動局毎のデータに分離する。そして、分離部１１５は、移動局毎の上り回線データをそれぞれ対応する復調・復号部１１６−１〜１１６−ｎに出力する。分離部１１５での分離処理の詳細については後述する。【００４１】
復調・復号部１１６−１〜１１６−ｎにおいて、各ＩＤＦＴ部２１は、ＦＦＴ後の上り回線データに対してＩＤＦＴ処理を行い、時間領域の信号に変換する。各復調部２２は、ＩＤＦＴ後の上り回線データに対して復調処理を行い、各復号部２３は、復調後の上り回線データまたはパケット合成後の上り回線データに対して復号処理を行う。また、各再送制御部２４は、再送回数に応じて、復号後の上り回線データに対してパケット合成を行い、パケット合成後の上り回線データ（受信ビット尤度）を復号部２３に出力する。また、各再送制御部２４は、再送時の上り回線データが入力される度に再送回数をカウントし、再送回数を分離部１１５に出力する。また、各ＣＲＣ部２５は、復号後の上り回線データに対してＣＲＣを行って、上り回線データに誤り無しであればＡＣＫ信号を、誤り有りであればＮＡＣＫ信号を応答信号としてＰＨＩＣＨ生成部１０１に出力する。【００４２】
一方、各移動局には、基地局１００と同一のＰＨＩＣＨグループ化情報およびＦＨパターンが報知チャネルで予め報知されている。各移動局では、基地局から自局宛ての上り回線ＲＢを示す割当情報を受信した場合、割当情報に従って送信データ、すなわち、上り回線データを基地局に送信する。そして、各移動局は、前回の上り回線データの送信に用いたＲＢおよびＰＨＩＣＨグループ化情報に従って、自局宛てに割り当てられたＲＢに関連付けられたＰＨＩＣＨに割り当てられた応答信号を受信する。ここで、各移動局では、どのＰＨＩＣＨがどの下り回線リソースに対応しているかを上位レイヤで指示されるか、予め規定される。そして、各移動局は、応答信号がＡＣＫ信号である場合、次の上り回線データを送信するために、基地局から自局宛ての割当情報が送信されるまで待機する。一方、各移動局は、応答信号がＮＡＣＫ信号である場合、上り回線データを再送する。また、各移動局は、上り回線データを再送する場合、ＦＨパターンに従って、前回送信した上り回線データを上り回線ＲＢに割り当てる。【００４３】
次に、マッピング部１０３でのマッピング処理および分離部１１５での分離処理の詳細について説明する。【００４４】
本実施の形態では、基地局１００は、図１に示す上り回線ＲＢ＃１〜＃１０のいずれかを用いて移動局から送信された上り回線データを受信する。そして、基地局１００は、図１に示すＰＨＩＣＨ＃１〜＃５に上り回線データに対する応答信号（ＡＣＫ信号またはＮＡＣＫ信号）を割り当てて移動局へ送信するものとする。【００４５】
また、図１に示すように、ＲＢ＃１〜＃１０は、連続する複数Ｎ個（Ｎは自然数）毎にグループ化され、グループ毎に１つのＰＨＩＣＨが関連付けられる。具体的には、Ｎ＝２の場合、図１に示すように、ＲＢ＃１およびＲＢ＃２がグループ化され、ＲＢ＃１とＲＢ＃２とからなるグループにＰＨＩＣＨ＃１が関連づけられる。同様に、ＲＢ＃３およびＲＢ＃４がグループ化され、ＲＢ＃３とＲＢ＃４とからなるグループにＰＨＩＣＨ＃２が関連づけられる。ＲＢ＃５〜＃１０についても同様である。【００４６】
また、本実施の形態では、図１に示すＲＢ＃１〜＃１０が連続する複数Ｍ個（Ｍは自然数）のＲＢ毎に複数のブロックにブロック化され、各ＲＢをブロック毎にホッピングさせるＦＨパターンに従って、上り回線データがＲＢに割り当てられる。本実施の形態におけるＦＨパターンでは、１ブロックにブロック化されるＲＢの個数（Ｍ個）は、１グループにグループ化されるＲＢの個数（Ｎ個）の自然数倍となる。つまり、本実施の形態のＦＨパターンでは、同一のＰＨＩＣＨを使用するＲＢの個数（Ｎ個）の自然数倍のＲＢ数（Ｍ個）からなるブロック単位で周波数ホッピングが行われる。ここでは、１グループにグループ化されるＲＢ数が２個であるのでＮ＝２となる。以下、ホッピング方法１および２について説明する。【００４７】
＜ホッピング方法１（図７）＞
本ホッピング方法におけるＦＨパターンでは、１つのブロックにブロック化されるＲＢの個数（Ｍ個）を、１つのグループにグループ化されるＲＢの個数（Ｎ個）の２倍とする。すなわち、１つのブロックにブロック化されるＲＢの個数（Ｍ個）は４個（＝Ｎ×２＝４）となる。【００４８】
１つのブロックにブロック化するＲＢの個数（Ｍ個）を４個とした場合のＦＨパターンを図７に示す。【００４９】
図７に示すように、上り回線ＲＢ＃１〜＃１０は４ＲＢ毎に複数のブロックにブロック化される。具体的には、図７に示すように、ＲＢ＃１〜＃４の４ＲＢが１つのブロックにブロック化され、ＲＢ＃７〜＃１０の４ＲＢが１つのブロックにブロック化される。そして、図７に示すように、初回送信時の一方のブロックを構成するＲＢ＃１〜＃４は、再送時にはＲＢ＃７〜＃１０にそれぞれホッピングされる。同様にして、初回送信時に一方のブロックを構成するＲＢ＃７〜＃１０は、再送時にはＲＢ＃１〜＃４にそれぞれホッピングされる。【００５０】
次いで、例えば、図８上段に示すように、初回送信時に、移動局１の上り回線データがＲＢ＃１〜＃４に割り当てられ、移動局２の上り回線データがＲＢ＃１０に割り当てられた場合について説明する。すなわち、基地局１００から各移動局に通知される割当情報には、移動局１の上り回線データがＲＢ＃１〜＃４に割り当てられ、移動局２の上り回線データがＲＢ＃１０に割り当てられることが示される。【００５１】
まず、分離部１１５は、入力される割当情報より、移動局１の上り回線データが図８上段に示すＲＢ＃１〜＃４に割り当てられ、移動局２の上り回線データが図８上段に示すＲＢ＃１０に割り当てられていることを特定する。そして、分離部１１５は、移動局１の上り回線データおよび移動局２の上り回線データをそれぞれ抽出して、移動局毎の上り回線データをそれぞれ対応する復調・復号部１１６−１〜１１６−ｎに出力する。【００５２】
ここで、移動局１および移動局２の上り回線データに誤りがあり、各移動局の上り回線データに対する応答信号としてＮＡＣＫ信号を各移動局へフィードバックする必要があるとする。この場合、マッピング部１０３は、各移動局の上り回線データに対する応答信号（ＮＡＣＫ信号）を、各移動局の初回送信時の上り回線データが割り当てられたＲＢに関連付けられたＰＨＩＣＨが配置された下り回線リソースにマッピングする。なお、マッピング部１０３は、１つの移動局の上り回線データが複数のＲＢに割り当てられた場合、複数のＲＢのうちＲＢ番号が最も小さいＲＢに関連付けられたＰＨＩＣＨを使用する。具体的には、図８上段に示すように、移動局１の初回送信時の上り回線データが割り当てられたＲＢ＃１〜＃４のうちＲＢ番号が最も小さいＲＢはＲＢ＃１である。そこで、マッピング部１０３は、移動局１の初回送信時の上り回線データに対する応答信号を、ＲＢ＃１に関連付けられたＰＨＩＣＨ＃１が配置された下り回線リソースにマッピングする。同様に、図８上段に示すように、移動局２の初回送信時の上り回線データが割り当てられたＲＢはＲＢ＃１０である。そこで、マッピング部１０３は、移動局２の初回送信時の上り回線データに対する応答信号を、ＲＢ＃１０に関連付けられたＰＨＩＣＨ＃５が配置された下り回線リソースにマッピングする。【００５３】
基地局１００から応答信号（ＮＡＣＫ信号）をそれぞれ受信した移動局１および移動局２は、上り回線データを再送する。ここで、各移動局は、図７に示すＦＨパターンに従って、再送時の上り回線データを上り回線ＲＢに割り当てる。すなわち、初回送信時に上り回線データをＲＢ＃１〜＃４に割り当てた移動局１は、図８下段に示すように、再送時の上り回線データをＲＢ＃７〜＃１０に割り当てる。同様に、初回送信時に上り回線データをＲＢ＃１０に割り当てた移動局２は、図８下段に示すように、再送時の上り回線データをＲＢ＃４に割り当てる。【００５４】
そして、各移動局からの再送時の上り回線データが入力された分離部１１５は、各移動局と同様にして、図７に示すＦＨパターンに従って、ＲＢ＃７〜＃１０に割り当てられた移動局１の再送時の上り回線データ、および、ＲＢ＃４に割り当てられた移動局２の再送時の上り回線データを抽出する。【００５５】
また、マッピング部１０３は、初回送信時と同様、各移動局の再送時の上り回線データに対する応答信号（ＡＣＫ信号またはＮＡＣＫ信号）をＰＨＩＣＨが配置された下り回線リソースにマッピングする。具体的には、図８下段に示すように、移動局１の再送時の上り回線データが割り当てられたＲＢ＃７〜＃１０のうちＲＢ番号が最も小さいＲＢはＲＢ＃７である。そこで、マッピング部１０３は、移動局１の再送時の上り回線データに対する応答信号を、ＲＢ＃７に関連付けられたＰＨＩＣＨ＃４が配置された下り回線リソースにマッピングする。同様にして、図８下段に示すように、移動局２の再送時の上り回線データが割り当てられたＲＢはＲＢ＃４である。そこで、マッピング部１０３は、移動局２の再送時の上り回線データに対する応答信号を、ＲＢ＃４に関連付けられたＰＨＩＣＨ＃２が配置された下り回線リソースにマッピングする。【００５６】
よって、再送時においても、移動局１の上り回線データに対する応答信号と、移動局２の上り回線データに対する応答信号とは、それぞれ異なるＰＨＩＣＨを使用して送信されるため、移動局間でのＰＨＩＣＨの衝突が発生しない。【００５７】
このように、本ホッピング方法によれば、初回送信時に異なるＰＨＩＣＨを使用した移動局が再送時に同一ＰＨＩＣＨを使用することがなくなるため、移動局間でのＰＨＩＣＨの衝突を回避することができる。【００５８】
＜ホッピング方法２（図９）＞
本ホッピング方法におけるＦＨパターンでは、１つのブロックにブロック化されるＲＢの個数（Ｍ個）を、１つのグループにグループ化されるＲＢの個数（Ｎ個）の１倍とする。つまり、１つのブロックにブロック化されるＲＢの個数（Ｍ個）と、１つのグループにグループ化されるＲＢの個数（Ｎ個）とが同数となる。ここでは、Ｎ＝２であるので、１つのブロックにブロック化されるＲＢの個数（Ｍ個）は２個（＝Ｎ×１＝２）となる。【００５９】
１つのブロックにブロック化するＲＢの個数（Ｍ個）を２個とした場合のＦＨパターンを図９に示す。【００６０】
図９に示すように、上り回線ＲＢ＃１〜＃１０は２ＲＢ毎に複数のブロックにブロック化される。具体的には、図９に示すように、ＲＢ＃１、＃２の２ＲＢが１つのブロックにブロック化される。同様にして、ＲＢ＃３、＃４の２ＲＢが１つのブロックにブロック化される。ＲＢ＃５〜＃１０についても同様である。【００６１】
そして、図９に示すように、初回送信時に１ブロックを構成するＲＢ＃１、＃２は、再送時にはＲＢ＃５、＃６にそれぞれホッピングされる。同様にして、初回送信時に１ブロックを構成するＲＢ＃３、＃４は、再送時にはＲＢ＃７、＃８にそれぞれホッピングされる。ＲＢ＃５〜＃１０についても同様である。【００６２】
次いで、例えば、図１０上段に示すように、ホッピング方法１と同様、初回送信時に、移動局１の上り回線データがＲＢ＃１〜＃４に割り当てられ、移動局２の上り回線データがＲＢ＃１０に割り当てられた場合について説明する。【００６３】
まず、分離部１１５は、ホッピング方法１と同様にして、移動局１の上り回線データ（図１０上段に示すＲＢ＃１〜＃４）および移動局２の上り回線データ（図１０上段に示すＲＢ＃１０）を特定し、移動局毎に上り回線データを抽出する。【００６４】
ここで、移動局１および移動局２の上り回線データに誤りがあり、各移動局の上り回線データに対する応答信号としてＮＡＣＫ信号を各移動局へフィードバックする必要があるとする。この場合、図１０上段に示すように、マッピング部１０３は、ホッピング方法１と同様にして、移動局１の初回送信時の上り回線データに対する応答信号をＰＨＩＣＨ＃１が配置された下り回線リソースにマッピングし、移動局２の初回送信時の上り回線データに対する応答信号をＰＨＩＣＨ＃５が配置された下り回線リソースにマッピングする。【００６５】
基地局１００から応答信号（ＮＡＣＫ信号）をそれぞれ受信した移動局１および移動局２は、上り回線データを再送する。ここで、各移動局は、図９に示すＦＨパターンに従って、再送時の上り回線データを上り回線ＲＢに割り当てる。すなわち、初回送信時に上り回線データをＲＢ＃１〜＃４に割り当てた移動局１は、図１０下段に示すように、再送時の上り回線データをＲＢ＃５〜＃８に割り当てる。同様に、初回送信時に上り回線データをＲＢ＃１０に割り当てた移動局２は、図１０下段に示すように、再送時の上り回線データをＲＢ＃４に割り当てる。【００６６】
そして、各移動局からの再送時の上り回線データが入力された分離部１１５は、各移動局と同様にして、図９に示すＦＨパターンに従って、ＲＢ＃５〜＃８に割り当てられた移動局１の再送時の上り回線データ、および、ＲＢ＃４に割り当てられた移動局２の再送時の上り回線データを抽出する。【００６７】
また、マッピング部１０３は、初回送信時と同様、各移動局の再送時の上り回線データに対する応答信号（ＡＣＫ信号またはＮＡＣＫ信号）をＰＨＩＣＨが配置された下り回線リソースにマッピングする。具体的には、図１０下段に示すように、移動局１の再送時の上り回線データが割り当てられたＲＢ＃５〜＃８のうちＲＢ番号が最も小さいＲＢはＲＢ＃５である。そこで、マッピング部１０３は、移動局１の再送時の上り回線データに対する応答信号を、ＲＢ＃５に関連付けられたＰＨＩＣＨ＃３が配置された下り回線リソースにマッピングする。同様にして、図１０下段に示すように、移動局２の再送時の上り回線データが割り当てられたＲＢはＲＢ＃４である。そこで、マッピング部１０３は、移動局２の再送時の上り回線データに対する応答信号を、ＲＢ＃４に関連付けられたＰＨＩＣＨ＃２が配置された下り回線リソースにマッピングする。【００６８】
よって、ホッピング方法１と同様、再送時においても、移動局１の上り回線データに対する応答信号と、移動局２の上り回線データに対する応答信号とは、それぞれ異なるＰＨＩＣＨを使用して送信されるため、ホッピング方法１と同様、移動局間でのＰＨＩＣＨの衝突が発生しない。【００６９】
このようにして、本ホッピング方法でも、ホッピング方法１と同様にして、移動局間のＰＨＩＣＨの衝突を回避することができる。【００７０】
以上、ホッピング方法１、２について説明した。【００７１】
このようにして、本実施の形態では、ＦＨパターンにおいて１つのブロックにブロック化するＲＢの個数（Ｍ個）を、１つのＰＨＩＣＨに関連付けられたグループにグループ化されるＲＢの個数（Ｎ個）の自然数倍とする。換言すると、１つのブロックにブロック化するＲＢの個数（Ｍ個）は、１つのＰＨＩＣＨに関連付けられたグループにグループ化されるＲＢの個数（Ｎ個）で割り切れる。つまり、１つのブロックがＰＨＩＣＨに関連付けられた複数のグループで構成されるため、複数のＲＢがブロック単位でホッピングされることは、ＰＨＩＣＨに関連付けられたグループ単位でホッピングされることと等価である。つまり、１つのグループを構成するＮ個のＲＢと、そのグループに関連付けられたＰＨＩＣＨとの関係を維持した状態で各ＲＢがホッピングされる。換言すると、複数のＲＢがブロック毎（グループ毎）にホッピングされるのに対して、複数のグループ毎に関連付けられたＰＨＩＣＨも、複数のＲＢのホッピングと同期してホッピングされる。つまり、ＰＨＩＣＨをホッピングさせるホッピングパターンを想定して、複数のＲＢをホッピングさせるＦＨパターンと、複数のグループ毎に関連付けられたＰＨＩＣＨをホッピングさせるＦＨパターンとを同期させることと等価である。これにより、初回送信時に互いに異なるＰＨＩＣＨが使用された移動局間では、再送時でも互いに異なるＰＨＩＣＨが使用される。すなわち、初回送信時に、異なる移動局間でＰＨＩＣＨが衝突しないようにＲＢを割り当てさえすれば、再送時でも、異なる移動局間でＰＨＩＣＨが衝突することがなくなる。【００７２】
また、ここで、従来のＦＨパターン（図２）と本実施の形態におけるＦＨパターン（９）とを比較する。図２に示すＦＨパターンでは、初回送信時のＲＢ（例えば、図２に示すＲＢ＃１）と、再送時にホッピングされたＲＢ（例えば、図２に示すＲＢ＃６）とは、５ＲＢだけ離れている。これに対し、図９に示すＦＨパターンでは、初回送信時のＲＢ（例えば、図９に示すＲＢ＃１）と、再送時にホッピングされたＲＢ（例えば、図９に示すＲＢ＃５）とは、４ＲＢだけ離れている。つまり、図２に示すＦＨパターンの方が、図９に示すＦＨパターンよりも大きな周波数ダイバーシチ効果が得られる。しかし、複数個のＲＢ毎に複数のグループにグループ化され、グループ毎に１つのＰＨＩＣＨを関連付けるような場合には、移動局の数が少ないことが予想され、ＲＢ＃１〜＃１０のすべてのＲＢが使用される確率は小さい。そのため、他の移動局に割り当てられないＲＢが存在する場合には、上り回線データを割り当てる必要がある移動局に対して割り当てＲＢ数を増やすことができる。これにより、図９に示すＦＨパターンを用いる場合でも、図２に示すＦＨパターンと比較して周波数ダイバーシチ効果が得られにくくなるものの、移動局毎の割り当てＲＢ数を増やすことによって受信特性の劣化を防止することができる。つまり、本実施の形態に係るＦＨパターンを用いることで、受信特性を劣化することなく、移動局間でのＰＨＩＣＨの衝突を回避することができる。【００７３】
このように、本実施の形態によれば、ＦＨパターンにおいて１つのブロックにブロック化されるＲＢの個数（Ｍ個）を、１つのグループにグループ化されるＲＢの個数（Ｎ個）の自然数倍とする。これにより、ＰＨＩＣＨと、ＰＨＩＣＨに関連付けられたグループを構成するＲＢとの間の対応関係がホッピング前後で維持される。このため、初回送信時（ホッピング前）に各移動局間で異なるＰＨＩＣＨを使用する場合には、再送時（ホッピング後）でも各移動局間でＰＨＩＣＨの衝突は発生しない。よって、本実施の形態によれば、ＦＨ再送方法とＰＨＩＣＨグループ化方法とを組み合わせて用いる場合に、移動局間のＰＨＩＣＨの衝突を回避することができる。【００７４】
なお、本実施の形態では、１つのブロックにブロック化されるＲＢの個数（Ｍ個）を、１つのグループにグループ化されるＲＢの個数（Ｎ個）の自然数倍とする場合について説明した。しかし、本発明は、逆に、１つのグループにグループ化されるＲＢの個数（Ｎ個）を、１つのブロックにブロック化されるＲＢの個数（Ｍ個）より求めてもよい。この場合でも、本実施の形態と同様の効果を得ることができる。【００７５】
（実施の形態２）
本実施の形態では、複数のＲＢをミラーリングさせるＦＨパターンを用いる場合について説明する。【００７６】
以下、本実施の形態について具体的に説明する。【００７７】
本実施の形態に係るマッピング部１０３（図６）は、１つの移動局の上り回線データが複数のＲＢに割り当てられる場合、再送回数に応じて、異なるＲＢに関連付けられたＰＨＩＣＨを使用する。具体的には、マッピング部１０３は、１つの移動局の上り回線データが複数のＲＢに割り当てられる場合、初回送信時には、実施の形態１と同様、ＲＢ番号が最も小さいＲＢに関連付けられたＰＨＩＣＨを使用するのに対し、再送時には、ＲＢ番号が最も大きいＲＢに関連付けられたＰＨＩＣＨを使用する。【００７８】
以下、具体的に説明する。本実施の形態では、実施の形態１と同様、基地局１００は、図１に示す上り回線ＲＢ＃１〜＃１０のいずれかを用いて移動局から送信された上り回線データを受信する。そして、基地局１００は、図１に示すＰＨＩＣＨ＃１〜＃５に上り回線データに対する応答信号（ＡＣＫ信号またはＮＡＣＫ信号）を配置して移動局へ送信するものとする。【００７９】
また、実施の形態１と同様、図１に示すように、ＲＢ＃１〜＃１０は隣接する２ＲＢ毎にグループ化され、グループ毎に１つのＰＨＩＣＨが関連付けられる。【００８０】
また、本実施の形態では、図４に示すように、複数のＲＢをミラーリングさせるＦＨパターンを用いる。つまり、初回送信時のＲＢ番号がより小さいＲＢほど、再送時には、ＲＢ番号がより大きいＲＢ番号のＲＢにホッピングされる。具体的には、図４に示すように、初回送信時のＲＢ＃１は、再送時にはＲＢ＃１０にホッピングされる。同様に、初回送信時のＲＢ＃２は、再送時にはＲＢ＃９にホッピングされる。ＲＢ＃３〜＃１０についても同様である。【００８１】
次いで、例えば、図１１に示すように、初回送信時に、移動局１の上り回線データがＲＢ＃１〜＃３に割り当てられ、移動局２の上り回線データがＲＢ＃４に割り当てられた場合について説明する。すなわち、基地局１００から各移動局に通知される割当情報には、移動局１の上り回線データがＲＢ＃１〜＃３に割り当てられ、移動局２の上り回線データがＲＢ＃４に割り当てられることが示される。【００８２】
まず、分離部１１５は、実施の形態１と同様にして、移動局１の上り回線データ（図１１に示すＲＢ＃１〜＃３）および移動局２の上り回線データ（図１１に示すＲＢ#４）を特定し、移動局毎に上り回線データを抽出する。【００８３】
ここで、移動局１および移動局２の上り回線データに誤りがあり、各移動局の上り回線データに対する応答信号としてＮＡＣＫ信号を各移動局へフィードバックする必要があるとする。この場合、マッピング部１０３は、１つの移動局の初回送信時の上り回線データが複数のＲＢに割り当てられる場合、実施の形態１と同様にして、ＲＢ番号が最も小さいＲＢに関連付けられたＰＨＩＣＨを使用する。具体的には、図１１上段に示すように、移動局１の初回送信時の上り回線データが割り当てられたＲＢ＃１〜＃３のうちＲＢ番号が最も小さいＲＢはＲＢ＃１である。そこで、マッピング部１０３は、移動局１の初回送信時の上り回線データに対する応答信号を、ＲＢ＃１に関連付けられたＰＨＩＣＨ＃１が配置された下り回線リソースにマッピングする。また、図１１上段に示すように、マッピング部１０３は、移動局の初回送信時の上り回線データに対する応答信号を、ＲＢ＃４に関連付けられたＰＨＩＣＨ＃２が配置された下り回線リソースにマッピングする。【００８４】
基地局１００から応答信号（ＮＡＣＫ信号）をそれぞれ受信した移動局１および移動局２は、上り回線データを再送する。ここで、各移動局は、図４に示すＦＨパターンに従って、再送時の上り回線データを上り回線ＲＢに割り当てる。すなわち、初回送信時に上り回線データをＲＢ＃１〜＃３に割り当てた移動局１は、図１１下段に示すように、再送時の上り回線データをＲＢ＃１０〜＃８に割り当てる。同様に、初回送信時に上り回線データをＲＢ＃４に割り当てた移動局２は、図１１下段に示すように、再送時の上り回線データをＲＢ＃７に割り当てる。【００８５】
そして、各移動局からの再送時の上り回線データが入力された分離部１１５は、各移動局と同様にして、図４に示すＦＨパターンに従って、ＲＢ＃１０〜＃８に割り当てられた移動局１の再送時の上り回線データ、および、ＲＢ＃７に割り当てられた移動局２の再送時の上り回線データを抽出する。【００８６】
また、マッピング部１０３は、初回送信時と同様、各移動局の再送時の上り回線データに対する応答信号（ＡＣＫ信号またはＮＡＣＫ信号）をＰＨＩＣＨが配置された下り回線リソースにマッピングする。ただし、マッピング部１０３は、１つの移動局の再送時の上り回線データが複数のＲＢに割り当てられる場合、ＲＢ番号が最も大きいＲＢに関連付けられたＰＨＩＣＨを使用する。具体的には、図１１下段に示すように、移動局１の再送時の上り回線データが割り当てられたＲＢ＃１０〜＃８のうちＲＢ番号が最も大きいＲＢはＲＢ＃１０である。そこで、マッピング部１０３は、移動局１の再送時の上り回線データに対する応答信号を、ＲＢ＃１０に関連付けられたＰＨＩＣＨ＃５が配置された下り回線リソースにマッピングする。また、図１１下段に示すように、移動局２の再送時の上り回線データが割り当てられたＲＢはＲＢ＃７である。そこで、マッピング部１０３は、移動局２の再送時の上り回線データに対する応答信号を、ＲＢ＃７に関連付けられたＰＨＩＣＨ＃４が配置された下り回線リソースにマッピングする。【００８７】
すなわち、実施の形態１と同様、再送時において、移動局１の上り回線データに対する応答信号と、移動局２の上り回線データに対する応答信号とは、それぞれ異なるＰＨＩＣＨを使用して送信されるため、実施の形態１と同様、移動局間でのＰＨＩＣＨの衝突が発生しない。【００８８】
このように、本実施の形態では、１つの移動局に複数のＲＢが割り当てられた場合、初回送信時には、ＲＢ番号が最も小さいＲＢに関連付けられたＰＨＩＣＨが使用されるのに対し、再送時には、ＲＢ番号が最も大きいＲＢに関連付けられたＰＨＩＣＨが使用される。換言すると、初回送信時にＰＨＩＣＨと関連付けたＲＢ番号をミラーリングしたＲＢ番号のＲＢに関連付けられたＰＨＩＣＨが再送時に使用される。すなわち、１つの移動局に割り当てられる複数のＲＢのうち、初回送信時に、ＲＢ番号がより小さいＲＢ（図１１では最小のＲＢ番号）に関連付けられたＰＨＩＣＨを使用する場合、再送時では、ＲＢ番号がより大きいＲＢ（図１１では最大のＲＢ番号）に関連付けられたＰＨＩＣＨを使用する。換言すると、複数のＲＢがミラーリングによりホッピングされるのに対し、複数のグループ毎に関連付けられたＰＨＩＣＨも、複数のＲＢのホッピングに同期させてホッピングされる。つまり、ＰＨＩＣＨをホッピングさせるホッピングパターンを想定して、実施の形態１と同様、複数のＲＢをホッピングさせるＦＨパターンと、複数のグループ毎に関連付けられたＰＨＩＣＨをホッピングさせるＦＨパターンとを同期させることと等価である。これにより、再送時において、ＲＢと、使用するＰＨＩＣＨとの対応関係は、ＲＢ番号およびＰＨＩＣＨのチャネル番号が初回送信時に対して鏡像関係になるものの、初回送信時と同一の関係となる。つまり、初回送信時に移動局間でのＰＨＩＣＨの衝突が発生しないようにスケジューリングされた場合、再送時でも移動局間でのＰＨＩＣＨの衝突を回避することができる。【００８９】
このようにして、本実施の形態によれば、複数のＲＢをミラーリングさせるＦＨパターンを用いる場合でも、実施の形態１と同様にして、ＦＨ再送方法とＰＨＩＣＨグループ化方法とを組み合わせて用いる場合に、移動局間のＰＨＩＣＨの衝突を回避することができる。【００９０】
なお、本実施の形態では、マッピング部１０３は、１つの移動局の上り回線データが複数のＲＢに割り当てられる場合、再送回数に応じて、最小のＲＢ番号のＲＢに関連付けられたＰＨＩＣＨを使用するか、最大のＲＢ番号のＲＢに関連付けられたＰＨＩＣＨを使用するかを切り替える場合について説明した。しかし、本発明では、マッピング部１０３は、１つの移動局の上り回線データが複数のＲＢに割り当てられる場合、再送単位、例えば、ＲＴＴ（Round Trip Time）分のサブフレーム毎に、最小のＲＢ番号のＲＢに関連付けられたＰＨＩＣＨを使用するか、最大のＲＢ番号のＲＢに関連付けられたＰＨＩＣＨを使用するかを切り替えてもよい。ここで、各移動局は、ＲＴＴ分のサブフレーム間隔で同時に上り回線データ（送信データ）を基地局に送信する。同一時刻であっても移動局毎に再送回数は異なるため、再送回数に基づく場合には、最小のＲＢ番号のＲＢに関連付けられたＰＨＩＣＨを用いる移動局と、最大のＲＢ番号のＲＢに関連付けられたＰＨＩＣＨを用いる移動局とが存在してしまう可能性がある。これに対し、再送単位であるＲＴＴ分のサブフレームに基づく場合には、各移動局間で共通の切り替えに従ってＰＨＩＣＨを使用することができる。すなわち、同一時刻では、いずれの移動局でも、最小のＲＢ番号（または、最大のＲＢ番号）のＲＢに関連付けられたＰＨＩＣＨを用いる。これにより、移動局間でのＰＨＩＣＨの衝突をさらに回避することができる。【００９１】
（実施の形態３）
本実施の形態では、複数のＲＢをミラーリングさせるＦＨパターンを用いる点については、実施の形態２と同じであるが、上り回線データの割り当てに使用される頻度が低いＲＢのみをグループ化して、グループ毎にＰＨＩＣＨを関連付ける点が実施の形態２と異なる。【００９２】
図４に示すＦＨパターンにおいて、ＲＢ＃１〜＃１０のうち両端に位置するＲＢ、例えば、ＲＢ＃１（＃１０）は、９ＲＢだけ離れたＲＢ＃１０（＃１）にホッピングされ、ＲＢ＃２（＃９）は、７ＲＢだけ離れたＲＢ＃９（＃２）にホッピングされる。このように、ＲＢ＃１〜＃１０のうち両端に位置するＲＢでは、周波数ホッピングによる大きな周波数ダイバーシチ効果が得られる。よって、ＲＢ＃１〜＃１０のうち両端に位置するＲＢは、スケジューリングによって、移動局の上り回線データが優先的に割り当てられる。すなわち、両端に位置するＲＢは、周波数ホッピングに使用される頻度が高くなる。【００９３】
これに対し、図４に示すＦＨパターンにおいて、ＲＢ＃１〜＃１０のうち中心付近に位置するＲＢ、例えば、ＲＢ＃３〜＃８は、最大でも５ＲＢだけ離れたＲＢにホッピングされる。そのため、ＲＢ＃１〜＃１０のうち中心付近に位置するＲＢでは、両端に位置するＲＢと比較すると、周波数ホッピングによる周波数ダイバーシチ効果が小さくなる。よって、中心付近に位置するＲＢは、スケジューリングによって、移動局の上り回線データが割り当てられにくくなる。すなわち、中心付近に位置するＲＢは、両端に位置するＲＢと比較すると、周波数ホッピングに使用される頻度が低くなる。【００９４】
そこで、本実施の形態では、中心付近のＲＢのみを、１つのＰＨＩＣＨと関連付けるグループのグループ化対象とする。換言すると、中心付近以外のＲＢ、つまり、両端に位置するＲＢを、グループ化対象としない。【００９５】
以下、具体的に説明する。本実施の形態では、基地局１００は、図１２に示す上り回線ＲＢ＃１〜＃１０のいずれかを用いて移動局から送信された上り回線データを受信する。そして、基地局１００は、図１２に示すＰＨＩＣＨ＃１〜＃７に上り回線データに対する応答信号（ＡＣＫ信号またはＮＡＣＫ信号）を配置して移動局へ送信するものとする。【００９６】
また、図１２に示すように、ＲＢ＃１〜＃１０のうち、ＲＢ＃３〜＃８（中心付近に位置するＲＢ）のみを複数のグループにグループ化してＰＨＩＣＨに関連付ける対象とする。よって、図１２に示すように、ＲＢ＃３〜＃８は、連続する２ＲＢ毎に３個のグループにグループ化され、グループ毎に１つのＰＨＩＣＨが関連付けられる。具体的には、図１２に示すように、ＲＢ＃３およびＲＢ＃４がグループ化され、ＲＢ＃３とＲＢ＃４とからなるグループにＰＨＩＣＨ＃３が関連づけられ、ＲＢ＃５およびＲＢ＃６がグループ化され、ＲＢ＃５とＲＢ＃６とからなるグループにＰＨＩＣＨ＃４が関連づけられ、ＲＢ＃７およびＲＢ＃８がグループ化され、ＲＢ＃７とＲＢ＃８とからなるグループにＰＨＩＣＨ＃５が関連づけられる。【００９７】
また、グループ化対象以外のＲＢ、すなわち、両端に位置するＲＢ＃１、＃２、＃９、＃１０は、それぞれ１つのＰＨＩＣＨが関連付けられる。具体的には、図１２に示すように、ＲＢ＃１にＰＨＩＣＨ＃１が関連付けられ、ＲＢ＃２にＰＨＩＣＨ＃２が関連付けられ、ＲＢ＃９にＰＨＩＣＨ＃６が関連付けられ、ＲＢ＃１０にＰＨＩＣＨ＃７が関連付けられる。【００９８】
次いで、例えば、図１３上段に示すように、実施の形態１と同様、初回送信時に、移動局１の上り回線データがＲＢ＃１〜＃４に割り当てられ、移動局２の上り回線データがＲＢ＃１０に割り当てられた場合について説明する。また、ここでは、実施の形態１と同様、分離部１１５にて抽出された移動局１および移動局２の上り回線データに誤りがあり、各移動局の上り回線データに対する応答信号としてＮＡＣＫ信号を各移動局へフィードバックする必要がある場合について説明する。【００９９】
この場合、図１３上段に示すように、移動局１の初回送信時の上り回線データが割り当てられたＲＢ＃１〜＃４のうちＲＢ番号が最も小さいＲＢはＲＢ＃１である。そこで、マッピング部１０３は、移動局１の初回送信時の上り回線データに対する応答信号を、ＲＢ＃１に関連付けられたＰＨＩＣＨ＃１が配置された下り回線リソースにマッピングする。同様にして、マッピング部１０３は、移動局２の初回送信時の上り回線データに対する応答信号を、ＲＢ＃１０に関連付けられたＰＨＩＣＨ＃７が配置された下り回線リソースにマッピングする。【０１００】
次いで、再送時には、各移動局からの再送時の上り回線データが入力された分離部１１５は、図１３下段に示すＲＢ＃１０〜＃７に割り当てられた移動局１の再送時の上り回線データ、および、ＲＢ＃４に割り当てられた移動局２の再送時の上り回線データを抽出する。【０１０１】
そして、マッピング部１０３は、初回送信時と同様、各移動局の再送時の上り回線データに対する応答信号（ＡＣＫ信号またはＮＡＣＫ信号）をＰＨＩＣＨが配置された下り回線リソースにマッピングする。具体的には、図１３下段に示すように、移動局１の再送時の上り回線データが割り当てられたＲＢ＃１０〜＃７のうちＲＢ番号が最も小さいＲＢはＲＢ＃７である。そこで、マッピング部１０３は、移動局１の再送時の上り回線データに対する応答信号を、ＲＢ＃７に関連付けられたＰＨＩＣＨ＃５が配置された下り回線リソースにマッピングする。同様にして、図１３下段に示すように、移動局２の再送時の上り回線データが割り当てられたＲＢはＲＢ＃１である。そこで、マッピング部１０３は、移動局２の再送時の上り回線データに対する応答信号を、ＲＢ＃１に関連付けられたＰＨＩＣＨ＃１が配置された下り回線リソースにマッピングする。【０１０２】
このように、上り回線データの割り当てに使用される頻度がより高い、両端に位置するＲＢ（図１２に示すＲＢ＃１、＃２、＃９、＃１０）では、複数の移動局に同時に使用される場合、それぞれのＲＢとＰＨＩＣＨとが１対１で関連付けられるため、ＰＨＩＣＨの衝突は発生しない。【０１０３】
また、上り回線データの割り当てに使用される頻度がより低い、中心付近に位置するＲＢ（図１２に示すＲＢ＃３〜＃８）では、実施の形態２と同様にしてＦＨ再送方法とＰＨＩＣＨグループ化方法とを組み合わせて用いることで、実施の形態２と同様、ＰＨＩＣＨの衝突を回避することができる。また、中心付近に位置するＲＢ（図１２に示すＲＢ＃３〜＃８）では、複数の移動局に同時に使用される確率は小さい。よって、異なる移動局間でのＰＨＩＣＨが衝突する確率も小さくなり、システム全体に及ぼす影響は少ない。【０１０４】
このようにして、本実施の形態によれば、上り回線データに使用される頻度が高いＲＢでは、ＲＢとＰＨＩＣＨとを１対１で関連付け、上り回線データに使用される頻度が低いＲＢでは、複数個のＲＢ毎にグループ化された複数のグループと複数のＰＨＩＣＨとを関連付ける。これにより、上り回線データに使用される頻度が高いＲＢを用いる移動局が使用するＰＨＩＣＨと、他の移動局が使用するＰＨＩＣＨとが衝突することがなくなる。また、上り回線データに使用される頻度が低いＲＢを用いる移動局が使用するＰＨＩＣＨが、他の移動局で使用され確率は小さいため、移動局間でのＰＨＩＣＨの衝突の確率も小さくなる。よって、本実施の形態によれば、実施の形態２と同様にして、移動局間でのＰＨＩＣＨの衝突を回避することができる。【０１０５】
なお、本実施の形態では、上り回線データを割り当てる上り回線ＲＢを、使用される頻度に応じて２種類（使用される頻度が高いＲＢと使用される頻度が低いＲＢ）に分ける場合について説明した。しかし、本発明では、上り回線データを割り当てる上り回線ＲＢを、使用される頻度に応じて３種類以上に分けてもよい。そして、異なる種類に分けられたＲＢ毎に、ＰＨＩＣＨとの関連付けを異ならせてもよい。【０１０６】
以上、本発明の実施の形態について説明した。【０１０７】
なお、本発明では、上記実施の形態を組み合わせたものでもよい。例えば、実施の形態１と実施の形態２とを組み合わせて用いてもよい。具体的には、実施の形態１に基づいて上り回線ＲＢを複数のブロックにブロック化し、複数のＲＢをブロック単位でホッピングするとともに、各ブロック内では、さらに、実施の形態２に基づいてＲＢをホッピングしてもよい。または、実施の形態１に基づいて上り回線ＲＢを複数のブロックにブロック化し、実施の形態２に基づいて、複数のＲＢをブロック単位でホッピングしてもよい。【０１０８】
また、上記説明で用いたサブフレームは、例えばタイムスロットやフレーム等、他の送信時間単位であってもよい。【０１０９】
また、移動局はＵＥ、基地局装置はＮｏｄｅ  Ｂ、サブキャリアはトーンと称されることもある。また、ＣＰは、ガードインターバル（Guard Interval：ＧＩ）と称されることもある。【０１１０】
また、周波数多重の方法はＯＦＤＭおよびＳＣ−ＦＤＭＡに限られない。【０１１１】
また、上記実施の形態の説明で用いたＳＣＣＨは、上り回線データのリソース割当結果を通知するための制御チャネルであれば如何なるチャネルであってもよい。例えば、ＳＣＣＨに代えてＰＤＣＣＨ（Physical Downlink Control Channel）を用いてもよい。【０１１２】
また、上記実施の形態では、初回送信時および１回目の再送時までの動作について説明したが、さらに上り回線データを再送する場合には、再び初回送信時の動作に戻って再送してもよい。【０１１３】
また、上記実施の形態では、本発明をハードウェアで構成する場合を例にとって説明したが、本発明はソフトウェアで実現することも可能である。【０１１４】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【０１１５】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【０１１６】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。【０１１７】
２００８年３月２５日出願の特願２００８−０７９０３２の日本出願に含まれる明細書、図面および要約書の開示内容は、すべて本願に援用される。
【産業上の利用可能性】
【０１１８】
本発明は、移動体通信システム等に適用することができる。
【図１】
2009119067.tif 000003
【図２】
2009119067.tif 000004
【図３】
2009119067.tif 000005
【図４】
2009119067.tif 000006
【図５】
2009119067.tif 000007
【図６】
2009119067.tif 000008
【図７】
2009119067.tif 000009
【図８】
2009119067.tif 000010
【図９】
2009119067.tif 000011
【図１０】
2009119067.tif 000012
【図１１】
2009119067.tif 000013
【図１２】
2009119067.tif 000014
【図１３】
2009119067.tif 000015
【手続補正書】
【提出日】平成21年8月27日(2009.8.27)
【手続補正１】
【補正対象書類名】特許請求の範囲
【補正対象項目名】全文
【補正方法】変更
【補正の内容】
【特許請求の範囲】
【請求項１】
複数のリソースブロックが、連続する複数Ｍ個（Ｍは自然数）のリソースブロック毎に複数のブロックにブロック化され、前記複数のブロック毎にホッピングさせるホッピングパターンに従って、前記リソースブロックに割り当てられた回線データを抽出する抽出手段と、
前記複数のリソースブロックが、連続する複数Ｎ個（Ｎは自然数）のリソースブロック毎に複数のグループにグループ化され、前記複数のグループと複数の制御チャネルとの関連付けに従って、前記回線データに対する応答信号を、前記制御チャネルが配置された回線リソースにマッピングするマッピング手段と、を具備し、
前記Ｍは前記Ｎの自然数倍である、
無線通信装置。
【請求項２】
前記Ｍと前記Ｎとが同数である、
請求項１記載の無線通信装置。
【請求項３】
複数のリソースブロックが、連続する複数Ｍ個（Ｍは自然数）のリソースブロック毎に複数のブロックにブロック化され、前記複数のブロック毎にホッピングさせるホッピングパターンに従って、前記リソースブロックに割り当てられた回線データを抽出し、
前記複数のリソースブロックが、連続する複数Ｎ個（Ｎは自然数）のリソースブロック毎に複数のグループにグループ化され、前記複数のグループと複数の制御チャネルとの関連付けに従って、前記回線データに対する応答信号を、前記制御チャネルが配置された回線リソースにマッピングする無線通信方法であって、
前記Ｍは前記Ｎの自然数倍である、
無線通信方法。
【請求項４】
複数のリソースブロックが、連続する複数Ｍ個（Ｍは自然数）のリソースブロック毎に複数のブロックにブロック化され、前記複数のブロック毎にホッピングさせるホッピングパターンに従って、前記リソースブロックに回線データを割り当てる割当手段と、
前記複数のリソースブロックが、連続する複数Ｎ個（Ｎは自然数）のリソースブロック毎に複数のグループにグループ化され、前記複数のグループと複数の制御チャネルとの関連付けに従って、前記制御チャネルに割り当てられた、前記回線データに対する応答信号を受信する受信手段と、を具備し、
前記Ｍは前記Ｎの自然数倍である、
無線通信装置。
【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
複数のリソースブロックが、連続する複数Ｍ個（Ｍは自然数）のリソースブロック毎に複数のブロックにブロック化され、前記複数のブロック毎にホッピングさせるホッピングパターンに従って、前記リソースブロックに割り当てられた回線データを抽出する抽出手段と、
前記複数のリソースブロックが、連続する複数Ｎ個（Ｎは自然数）のリソースブロック毎に複数のグループにグループ化され、前記複数のグループと複数の制御チャネルとの関連付けに従って、前記回線データに対する応答信号を、前記制御チャネルが配置された回線リソースにマッピングするマッピング手段と、を具備し、
前記Ｍは前記Ｎの自然数倍である、
無線通信装置。
【請求項２】
前記Ｍと前記Ｎとが同数である、
請求項１記載の無線通信装置。
【請求項３】
複数のリソースブロックが、連続する複数Ｍ個（Ｍは自然数）のリソースブロック毎に複数のブロックにブロック化され、前記複数のブロック毎にホッピングさせるホッピングパターンに従って、前記リソースブロックに割り当てられた回線データを抽出し、
前記複数のリソースブロックが、連続する複数Ｎ個（Ｎは自然数）のリソースブロック毎に複数のグループにグループ化され、前記複数のグループと複数の制御チャネルとの関連付けに従って、前記回線データに対する応答信号を、前記制御チャネルが配置された回線リソースにマッピングする無線通信方法であって、
前記Ｍは前記Ｎの自然数倍である、
無線通信方法。
【請求項４】
複数のリソースブロックが、連続する複数Ｍ個（Ｍは自然数）のリソースブロック毎に複数のブロックにブロック化され、前記複数のブロック毎にホッピングさせるホッピングパターンに従って、前記リソースブロックに回線データを割り当てる割当手段と、
前記複数のリソースブロックが、連続する複数Ｎ個（Ｎは自然数）のリソースブロック毎に複数のグループにグループ化され、前記複数のグループと複数の制御チャネルとの関連付けに従って、前記制御チャネルに割り当てられた、前記回線データに対する応答信号を受信する受信手段と、を具備し、
前記Ｍは前記Ｎの自然数倍である、
無線通信装置。
【手続補正２】
【補正対象書類名】明細書
【補正対象項目名】全文
【補正方法】変更
【補正の内容】
【発明の詳細な説明】
【技術分野】
【０００１】
本発明は、無線通信基地局装置および無線通信方法に関する。
【背景技術】
【０００２】
近年、無線通信、特に移動体通信では、音声以外に画像やデータなどの様々な情報が伝送の対象になっている。今後は、高速な伝送に対する要求がさらに高まるであろうと予想される。高い伝送効率を実現する無線通信技術として、現在、３ＧＰＰ（3rd Generation Partnership Project）において、次世代移動通信システムであるＬＴＥ（Long Term Evolution）の検討が進められている。ＬＴＥの上り回線アクセス方式として、ＳＣ−ＦＤＭＡ（Single-carrier FDMA）が議論されている。
【０００３】
ＳＣ−ＦＤＭＡでは、上り回線データが無線通信移動局装置（以下、単に移動局という）毎にシステム帯域のＲＢ（Resource Block）に割り当てられ、移動局間の上り回線データが周波数分割多重される。このため、移動局間で上り回線データが衝突せずに通信することができる。
【０００４】
また、移動体通信では、上り回線で移動局から無線通信基地局装置（以下、単に基地局という）へ伝送される上り回線データに対してＡＲＱ（Automatic Repeat reQuest）が適用され、上り回線データの誤り検出結果を示す応答信号が下り回線で移動局へフィードバックされる。基地局は上り回線データに対しＣＲＣ（Cyclic Redundancy Check）判定を行って、ＣＲＣ＝ＯＫ（誤り無し）であればＡＣＫ（Acknowledgment）信号を、ＣＲＣ＝ＮＧ（誤り有り）であればＮＡＣＫ（Negative Acknowledgment）信号を応答信号として移動局へフィードバックする。
【０００５】
ここで、上り回線データに同期ＨＡＲＱ（Synchronous Hybrid ARQ）を適用することが検討されている。同期ＨＡＲＱでは、基地局は上り回線データの受信後、所定時間経過後に応答信号を移動局へフィードバックし、移動局は、基地局からＮＡＣＫ信号がフィードバックされた場合には、ＮＡＣＫ信号の受信後、所定時間経過後に、予め決定されたＲＢを用いて上り回線データを基地局へ再送する。
【０００６】
また、同期ＨＡＲＱにおける再送方法として、初回送信時と再送時とで上り回線データを割り当てるＲＢを周波数領域でホッピングさせる周波数ホッピング（ＦＨ：Frequency Hopping）再送方法がある。ＦＨ再送方法では、初回送信時に上り回線データを割り当てるＲＢと、再送時に上り回線データを割り当てるＲＢとが異なるため、周波数ダイバーシチ効果を得ることができる。なお、基地局および移動局では、予め設定されたＦＨパターンをそれぞれが所有することで、周波数ホッピングを行った再送時の上り回線データが割り当てられたＲＢを判別して通信を行っている。
【０００７】
ＦＨ再送方法で用いるＦＨパターンとして、上り回線データが割り当てられる複数のＲＢが、連続する複数個のＲＢ毎に複数のブロックにブロック化され、複数のＲＢをブロック毎にホッピングさせるＦＨパターンと、ＲＢをミラーリングさせるＦＨパターンとが検討されている（例えば、非特許文献１参照）。ＲＢをブロック毎にホッピングさせるＦＨパターンでは、例えば、すべての上り回線ＲＢを半分に分割して２つのブロックにブロック化し、上り回線ＲＢをブロック毎にホッピングさせる。この場合、再送時の上り回線データは、初回送信時に割り当てられたＲＢを構成するブロックと異なるブロックのＲＢに割り当てられる。また、ＲＢをミラーリングさせるＦＨパターンでは、ＲＢ番号がより小さいＲＢほど、ＲＢ番号がより大きいＲＢにホッピングされる。すなわち、再送時の上り回線データは、初回送信時に割り当てたＲＢのＲＢ番号と鏡像関係にあるＲＢ番号のＲＢに割り当てられる。
【０００８】
また、基地局は、上り回線データを送信した移動局に対する応答信号を下り回線でフィードバックするための制御チャネルとしてＰＨＩＣＨ（Physical Hybrid-ARQ Indicator Channel）を用いる。ＰＨＩＣＨは、基地局で下り回線の他のチャネルと多重され、移動局に送信される。また、ＰＨＩＣＨは、移動局毎に必要な制御チャネルであり、移動局毎にＰＨＩＣＨを割り当てる必要がある。
【０００９】
また、同期ＨＡＲＱにおいて、下り回線の通信リソースを効率良く使用するために、上り回線データを割り当てる上り回線ＲＢに、下り回線で応答信号を伝送するためのＰＨＩＣＨを関連付けることが検討されている。例えば、上り回線データを割り当てる上り回線ＲＢのＲＢ番号と、ＰＨＩＣＨのチャネル番号とを１対１で関連付ける方法が検討されている（例えば、非特許文献２参照）。これにより、移動局は、ＰＨＩＣＨの割当情報を別途通知されなくても、基地局からの上り回線ＲＢの割当情報に従って自局宛てのＰＨＩＣＨを判断することができるため、シグナリング量を削減することができる。なお、上り回線データが複数のＲＢに割り当てられる場合、ＲＢ番号が最も小さいＲＢに関連付けられたＰＨＩＣＨを使用する。
【００１０】
また、複数のＲＢが連続する複数個のＲＢ毎に複数のグループにグループ化され、グループ毎に１つのＰＨＩＣＨを関連付けることにより、ＰＨＩＣＨの総リソース量をさらに削減するＰＨＩＣＨグループ化方法が用いられる。
【非特許文献１】3GPP RAN WG1 Meeting document, R1-080683, “Frequency Hopping Pattern for PUSCH”, Samsung, LGE, NEC, Qualcomm, ZTE
【非特許文献２】3GPP RAN WG1 Meeting document, R1-070932, “Assignment of Downlink ACK/NACK channel”, Panasonic
【発明の開示】
【発明が解決しようとする課題】
【００１１】
最近検討されているＦＨ再送方法とＰＨＩＣＨグループ化方法とを組み合わせて用いることが考えられる。以下、具体的なＲＢ割当例について説明する。以下の説明では、基地局は、図１に示す上り回線ＲＢ＃１〜＃１０のいずれかを用いて移動局から送信された上り回線データを受信する。そして、基地局は、上り回線データに対する応答信号（ＡＣＫ信号またはＮＡＣＫ信号）を図１に示すＰＨＩＣＨ＃１〜＃５に割り当てて移動局へ送信するものとする。ここで、図１に示すように、ＲＢ＃１〜＃１０は、連続する２ＲＢ毎に複数のグループにグループ化され、グループ毎に１つのＰＨＩＣＨが関連付けられる。例えば、図１に示すように、ＲＢ＃１およびＲＢ＃２がグループ化され、ＲＢ＃１とＲＢ＃２とからなるグループにＰＨＩＣＨ＃１が関連付けられる。同様に、ＲＢ＃３およびＲＢ＃４がグループ化され、ＲＢ＃３とＲＢ＃４とからなるグループにＰＨＩＣＨ＃２が関連付けられる。ＲＢ＃５〜＃１０についても同様である。
【００１２】
図２は、ＲＢ＃１〜＃１０を複数のブロックにブロック化して、複数のＲＢをブロック毎にホッピングさせるＦＨパターンを示す。具体的には、図２に示す上り回線ＲＢ＃１〜＃１０は、５ＲＢずつにブロック化され、ＲＢ＃１〜＃５からなるブロックおよびＲＢ＃６〜＃１０からなるブロックに分割される。そして、初回送信時に１つのブロックを構成するＲＢ＃１〜＃５は、再送時にはＲＢ＃６〜＃１０にそれぞれホッピングされる。同様にして、初回送信時に１つのブロックを構成するＲＢ＃６〜＃１０は、再送時にはＲＢ＃１〜＃５にそれぞれホッピングされる。
【００１３】
例えば、図３上段に示すように、初回送信時に、移動局１の上り回線データがＲＢ＃１〜＃４に割り当てられ、移動局２の上り回線データがＲＢ＃１０に割り当てられた場合について説明する。図３上段に示すように、移動局１の上り回線データが割り当てられたＲＢ＃１〜＃４のうちＲＢ番号が最も小さいＲＢはＲＢ＃１である。そこで、移動局１の初回送信時の上り回線データに対する応答信号は、図１に示す関連付けより、ＰＨＩＣＨ＃１に割り当てられる。同様にして、移動局２の初回送信時の上り回線データに対する応答信号は、図１に示す関連付けより、ＰＨＩＣＨ＃５に割り当てられる。
【００１４】
ここで、上り回線データに誤りがあり、上り回線データの再送が必要である場合、図３下段に示すように、移動局１の再送時の上り回線データは、図２に示すＦＨパターンに従って、ＲＢ＃６〜＃９に割り当てられる。また、移動局２の再送時の上り回線データは、図２に示すＦＨパターンに従って、ＲＢ＃５に割り当てられる。ここで、図３下段に示すように、移動局１の上り回線データが割り当てられたＲＢ＃６〜＃９のうちＲＢ番号が最も小さいＲＢはＲＢ＃６である。そこで、移動局１の再送時の上り回線データに対する応答信号は、ＲＢ＃６に関連付けられたＰＨＩＣＨ＃３に割り当てられる。同様にして、移動局２の再送時の上り回線データに対する応答信号は、ＲＢ＃５に関連付けられたＰＨＩＣＨ＃３に割り当てられる。すなわち、移動局１および移動局２の初回送信時の上り回線データに対する応答信号が互いに異なるＰＨＩＣＨに割り当てられたにもかかわらず、再送時には、移動局１の上り回線データに対する応答信号と、移動局２の上り回線データに対する応答信号とが同一のＰＨＩＣＨ＃３に割り当てられてしまう。このため、移動局間でＰＨＩＣＨの衝突が発生してしまう。
【００１５】
次に、図４は、複数のＲＢをミラーリングさせるＦＨパターンを示す。具体的には、図４に示す上り回線ＲＢ＃１〜＃１０では、ＲＢ番号がより小さいＲＢほど、ＲＢ番号がより大きいＲＢ番号のＲＢにホッピングされる。例えば、初回送信時のＲＢ＃１は、再送時にはＲＢ＃１０にホッピングされる。同様にして、初回送信時のＲＢ＃２は、再送時にはＲＢ＃９にホッピングされる。ＲＢ＃３〜＃１０についても同様である。
【００１６】
例えば、図５上段に示すように、初回送信時に、移動局１の上り回線データがＲＢ＃１〜＃３に割り当てられ、移動局２の上り回線データがＲＢ＃４に割り当てられた場合について説明する。図５上段に示すように、移動局１の上り回線データが割り当てられたＲＢ＃１〜＃３のうちＲＢ番号が最も小さいＲＢはＲＢ＃１である。そこで、移動局１の初回送信時の上り回線データに対する応答信号は、図１に示す関連付けより、ＰＨＩＣＨ＃１に割り当てられる。同様にして、移動局２の初回送信時の上り回線データに対する応答信号は、図１に示す関連付けより、ＰＨＩＣＨ＃２に割り当てられる。
【００１７】
ここで、上り回線データに誤りがあり、上り回線データの再送が必要である場合、図５下段に示すように、再送時には、移動局１の上り回線データは、図４に示すＦＨパターンに従って、ＲＢ＃１０〜＃８に割り当てられる。また、移動局２の上り回線データは、図４に示すＦＨパターンに従って、ＲＢ＃７に割り当てられる。図５下段に示すように、移動局１の上り回線データが割り当てられたＲＢ＃１０〜＃８のうちＲＢ番号が最も小さいＲＢはＲＢ＃８である。そこで、移動局１の再送時の上り回線データに対する応答信号は、ＲＢ＃８に関連付けられたＰＨＩＣＨ＃４に割り当てられる。同様にして、移動局２の再送時の上り回線データに対する応答信号は、ＲＢ＃７に関連付けられたＰＨＩＣＨ＃４に割り当てられる。すなわち、移動局１および移動局２の初回送信時の上り回線データに対する応答信号が互いに異なるＰＨＩＣＨに割り当てられたにもかかわらず、再送時には、移動局１の上り回線データに対する応答信号と、移動局２の上り回線データに対する応答信号とが同一のＰＨＩＣＨ＃４に割り当てられてしまう。このため、移動局間でＰＨＩＣＨの衝突が発生してしまう。
【００１８】
このように、ＦＨ再送方法とＰＨＩＣＨグループ化方法とを組み合わせて用いる場合、各移動局の上り回線データが割り当てられるＲＢによっては、再送時に、移動局間でＰＨＩＣＨが衝突してしまう可能性がある。
【００１９】
本発明の目的は、ＦＨ再送方法とＰＨＩＣＨグループ化方法とを組み合わせて用いる場合に、移動局間のＰＨＩＣＨの衝突を回避することができる無線通信基地局装置および無線通信方法を提供することである。
【課題を解決するための手段】
【００２０】
本発明の無線通信基地局装置は、上り回線データが割り当てられる複数のリソースブロックが、連続する複数Ｍ個（Ｍは自然数）のリソースブロック毎に複数のブロックにブロック化されるとともに、連続する複数Ｎ個（Ｎは自然数）のリソースブロック毎に複数のグループにグループ化される無線通信システムにおいて使用される無線通信基地局装置であって、前記複数のリソースブロックを前記複数のブロック毎にホッピングさせるホッピングパターンに従って、前記複数のリソースブロックから複数の無線通信移動局装置毎に上り回線データを抽出する抽出手段と、前記複数のグループと複数の制御チャネルとの関連付けに従って、前記上り回線データに対する応答信号が割り当てられた前記複数の制御チャネルを下り回線リソースにマッピングするマッピング手段と、を具備し、前記Ｍは前記Ｎの自然数倍である構成を採る。
【発明の効果】
【００２１】
本発明によれば、ＦＨ再送方法とＰＨＩＣＨグループ化方法とを組み合わせて用いる場合に、移動局間のＰＨＩＣＨの衝突を回避することができる。
【発明を実施するための最良の形態】
【００２２】
以下、本発明の実施の形態について、添付図面を参照して詳細に説明する。以下の説明では、下り回線データはＯＤＦＭ（Orthogonal Frequency Division Multiplexing）により伝送され、上り回線データはＳＣ−ＦＤＭＡにより伝送されるものとする。
【００２３】
（実施の形態１）
本実施の形態に係る基地局１００の構成を図６に示す。以下の説明では、基地局１００は、上り回線データが割り当てられる複数のＲＢが、連続する複数Ｍ個（Ｍは自然数）のＲＢ毎に複数のブロックにブロック化されるとともに、連続する複数Ｎ個（Ｎは自然数）のＲＢ毎に複数のグループにグループ化される無線通信システムにおいて使用される。
【００２４】
なお、説明が煩雑になることを避けるために、図６では、本発明と密接に関連する上り回線データの受信、および、その上り回線データに対する応答信号の下り回線での送信に係わる構成部を示し、本実施の形態では、下り回線データの送信に係わる構成部の図示および説明を省略する。
【００２５】
基地局１００において、ＰＨＩＣＨ用の変調部１０２−１〜１０２−ｎ、ＳＣＣＨ（Shared Control Channel；共有制御チャネル）用の符号化部１１および変調部１２からなる符号化・変調部１０５−１〜１０５−ｎ、および、データチャネル用のＩＤＦＴ（Inverse Discrete Fourier Transform）部２１、復調部２２、復号部２３、再送制御部２４およびＣＲＣ（Cyclic Redundancy Check）部２５からなる復調・復号部１１６−１〜１１６−ｎは、基地局１００が通信可能な移動局の数ｎだけ移動局１〜ｎにそれぞれ対応して備えられる。
【００２６】
ＰＨＩＣＨ生成部１０１には、各移動局の上り回線データに対する応答信号（ＡＣＫ信号またはＮＡＣＫ信号）が入力される。ＰＨＩＣＨ生成部１０１は、各移動局の上り回線データに対する応答信号を送信するＰＨＩＣＨを移動局毎に生成して、生成したＰＨＩＣＨをそれぞれ対応する変調部１０２に出力する。
【００２７】
変調部１０２−１〜１０２−ｎは、移動局毎のＰＨＩＣＨで送信される、移動局毎の応答信号（ＡＣＫ信号またはＮＡＣＫ信号）に対して変調処理を行って、変調後の応答信号をマッピング部１０３に出力する。
【００２８】
マッピング部１０３には、上り回線データが割り当てられる複数の上り回線ＲＢがグループ化された複数のグループと複数のＰＨＩＣＨとの関連付けを示すＰＨＩＣＨグループ化情報が予め入力されている。マッピング部１０３は、各移動局の上り回線データへの割当ＲＢを各移動局へ指示する割当情報、および、ＰＨＩＣＨグループ化情報に従って、移動局毎の上り回線データに対する応答信号を、ＯＦＤＭシンボルを構成する複数のサブキャリアのいずれかにマッピングする。つまり、マッピング部１０３は、移動局毎の上り回線データに対する応答信号が割り当てられた複数のＰＨＩＣＨを、ＯＦＤＭシンボルを構成する複数のサブキャリアのいずれかにマッピングする。また、マッピング部１０３は、１つの移動局の上り回線データが複数のＲＢに割り当てられている場合、ＲＢ番号が最も小さいＲＢに関連付けられたＰＨＩＣＨを使用する。マッピング部１０３でのマッピング処理の詳細については後述する。
【００２９】
制御信号生成部１０４には、各移動局の上り回線データへの割当ＲＢを各移動局へ指示する割当情報が入力される。制御信号生成部１０４は、割当情報を含む制御信号を移動局毎に生成して、それぞれ対応する符号化部１１に出力する。
【００３０】
符号化・変調部１０５−１〜１０５−ｎにおいて、各符号化部１１は、移動局毎のＳＣＣＨで送信される、移動局毎の制御信号に対して符号化処理を行い、各変調部１２は、符号化後の制御信号に対して変調処理を行ってマッピング部１０６に出力する。
【００３１】
マッピング部１０６は、各移動局への制御信号を、ＯＦＤＭシンボルを構成する複数のサブキャリアのいずれかにマッピングして多重部１０７に出力する。つまり、マッピング部１０６は、移動局毎の複数のＳＣＣＨを、ＯＦＤＭシンボルを構成する複数のサブキャリアのいずれかにマッピングする。
【００３２】
多重部１０７は、マッピング部１０３から入力される応答信号、マッピング部１０６から入力される制御信号を時間多重してＩＦＦＴ（Inverse Fast Fourier Transform）部１０８に出力する。
【００３３】
ＩＦＦＴ部１０８は、複数のサブキャリアにマッピングされた応答信号または制御信号に対してＩＦＦＴを行ってＯＦＤＭシンボルを生成する。
【００３４】
ＣＰ（Cyclic Prefix）付加部１０９は、ＯＦＤＭシンボルの後尾部分と同じ信号をＣＰとしてＯＦＤＭシンボルの先頭に付加する。
【００３５】
無線送信部１１０は、ＣＰ付加後のＯＦＤＭシンボルに対しＤ／Ａ変換、増幅およびアップコンバート等の送信処理を行ってアンテナ１１１から各移動局へ送信する。
【００３６】
一方、無線受信部１１２は、最大ｎ個の移動局から同時に送信されたｎ個のＳＣ−ＦＤＭＡシンボルをアンテナ１１１を介して受信し、これらのＳＣ−ＦＤＭＡシンボルに対しダウンコンバート、Ａ／Ｄ変換等の受信処理を行う。
【００３７】
ＣＰ除去部１１３は、受信処理後のＯＦＤＭシンボルからＣＰを除去する。
【００３８】
ＦＦＴ（Fast Fourier Transform）部１１４は、ＣＰ除去後のＯＦＤＭシンボルに対してＦＦＴを行って、周波数領域で多重された移動局毎の信号を得る。なお、各移動局は互いに異なるＲＢを用いて信号を送信している。
【００３９】
分離部１１５には、複数の移動局の上り回線データが割り当てられる複数のＲＢを複数のブロック毎にホッピングさせるＦＨパターンが予め入力されている。分離部１１５は、移動局に通知した割当情報、再送制御部２４から入力される再送回数および再送時のＦＨパターンに従って、上り回線データが割り当てられた複数のＲＢから複数の移動局毎に上り回線データを抽出することで、上り回線データを複数の移動局毎のデータに分離する。そして、分離部１１５は、移動局毎の上り回線データをそれぞれ対応する復調・復号部１１６−１〜１１６−ｎに出力する。分離部１１５での分離処理の詳細については後述する。
【００４０】
復調・復号部１１６−１〜１１６−ｎにおいて、各ＩＤＦＴ部２１は、ＦＦＴ後の上り回線データに対してＩＤＦＴ処理を行い、時間領域の信号に変換する。各復調部２２は、ＩＤＦＴ後の上り回線データに対して復調処理を行い、各復号部２３は、復調後の上り回線データまたはパケット合成後の上り回線データに対して復号処理を行う。また、各再送制御部２４は、再送回数に応じて、復号後の上り回線データに対してパケット合成を行い、パケット合成後の上り回線データ（受信ビット尤度）を復号部２３に出力する。また、各再送制御部２４は、再送時の上り回線データが入力される度に再送回数をカウントし、再送回数を分離部１１５に出力する。また、各ＣＲＣ部２５は、復号後の上り回線データに対してＣＲＣを行って、上り回線データに誤り無しであればＡＣＫ信号を、誤り有りであればＮＡＣＫ信号を応答信号としてＰＨＩＣＨ生成部１０１に出力する。
【００４１】
一方、各移動局には、基地局１００と同一のＰＨＩＣＨグループ化情報およびＦＨパターンが報知チャネルで予め報知されている。各移動局では、基地局から自局宛ての上り回線ＲＢを示す割当情報を受信した場合、割当情報に従って送信データ、すなわち、上り回線データを基地局に送信する。そして、各移動局は、前回の上り回線データの送信に用いたＲＢおよびＰＨＩＣＨグループ化情報に従って、自局宛てに割り当てられたＲＢに関連付けられたＰＨＩＣＨに割り当てられた応答信号を受信する。ここで、各移動局では、どのＰＨＩＣＨがどの下り回線リソースに対応しているかを上位レイヤで指示されるか、予め規定される。そして、各移動局は、応答信号がＡＣＫ信号である場合、次の上り回線データを送信するために、基地局から自局宛ての割当情報が送信されるまで待機する。一方、各移動局は、応答信号がＮＡＣＫ信号である場合、上り回線データを再送する。また、各移動局は、上り回線データを再送する場合、ＦＨパターンに従って、前回送信した上り回線データを上り回線ＲＢに割り当てる。
【００４２】
次に、マッピング部１０３でのマッピング処理および分離部１１５での分離処理の詳細について説明する。
【００４３】
本実施の形態では、基地局１００は、図１に示す上り回線ＲＢ＃１〜＃１０のいずれかを用いて移動局から送信された上り回線データを受信する。そして、基地局１００は、図１に示すＰＨＩＣＨ＃１〜＃５に上り回線データに対する応答信号（ＡＣＫ信号またはＮＡＣＫ信号）を割り当てて移動局へ送信するものとする。
【００４４】
また、図１に示すように、ＲＢ＃１〜＃１０は、連続する複数Ｎ個（Ｎは自然数）毎にグループ化され、グループ毎に１つのＰＨＩＣＨが関連付けられる。具体的には、Ｎ＝２の場合、図１に示すように、ＲＢ＃１およびＲＢ＃２がグループ化され、ＲＢ＃１とＲＢ＃２とからなるグループにＰＨＩＣＨ＃１が関連づけられる。同様に、ＲＢ＃３およびＲＢ＃４がグループ化され、ＲＢ＃３とＲＢ＃４とからなるグループにＰＨＩＣＨ＃２が関連づけられる。ＲＢ＃５〜＃１０についても同様である。
【００４５】
また、本実施の形態では、図１に示すＲＢ＃１〜＃１０が連続する複数Ｍ個（Ｍは自然数）のＲＢ毎に複数のブロックにブロック化され、各ＲＢをブロック毎にホッピングさせるＦＨパターンに従って、上り回線データがＲＢに割り当てられる。本実施の形態におけるＦＨパターンでは、１ブロックにブロック化されるＲＢの個数（Ｍ個）は、１グループにグループ化されるＲＢの個数（Ｎ個）の自然数倍となる。つまり、本実施の形態のＦＨパターンでは、同一のＰＨＩＣＨを使用するＲＢの個数（Ｎ個）の自然数倍のＲＢ数（Ｍ個）からなるブロック単位で周波数ホッピングが行われる。ここでは、１グループにグループ化されるＲＢ数が２個であるのでＮ＝２となる。以下、ホッピング方法１および２について説明する。
【００４６】
＜ホッピング方法１（図７）＞
本ホッピング方法におけるＦＨパターンでは、１つのブロックにブロック化されるＲＢの個数（Ｍ個）を、１つのグループにグループ化されるＲＢの個数（Ｎ個）の２倍とする。すなわち、１つのブロックにブロック化されるＲＢの個数（Ｍ個）は４個（＝Ｎ×２＝４）となる。
【００４７】
１つのブロックにブロック化するＲＢの個数（Ｍ個）を４個とした場合のＦＨパターンを図７に示す。
【００４８】
図７に示すように、上り回線ＲＢ＃１〜＃１０は４ＲＢ毎に複数のブロックにブロック化される。具体的には、図７に示すように、ＲＢ＃１〜＃４の４ＲＢが１つのブロックにブロック化され、ＲＢ＃７〜＃１０の４ＲＢが１つのブロックにブロック化される。そして、図７に示すように、初回送信時の一方のブロックを構成するＲＢ＃１〜＃４は、再送時にはＲＢ＃７〜＃１０にそれぞれホッピングされる。同様にして、初回送信時に一方のブロックを構成するＲＢ＃７〜＃１０は、再送時にはＲＢ＃１〜＃４にそれぞれホッピングされる。
【００４９】
次いで、例えば、図８上段に示すように、初回送信時に、移動局１の上り回線データがＲＢ＃１〜＃４に割り当てられ、移動局２の上り回線データがＲＢ＃１０に割り当てられた場合について説明する。すなわち、基地局１００から各移動局に通知される割当情報には、移動局１の上り回線データがＲＢ＃１〜＃４に割り当てられ、移動局２の上り回線データがＲＢ＃１０に割り当てられることが示される。
【００５０】
まず、分離部１１５は、入力される割当情報より、移動局１の上り回線データが図８上段に示すＲＢ＃１〜＃４に割り当てられ、移動局２の上り回線データが図８上段に示すＲＢ＃１０に割り当てられていることを特定する。そして、分離部１１５は、移動局１の上り回線データおよび移動局２の上り回線データをそれぞれ抽出して、移動局毎の上り回線データをそれぞれ対応する復調・復号部１１６−１〜１１６−ｎに出力する。
【００５１】
ここで、移動局１および移動局２の上り回線データに誤りがあり、各移動局の上り回線データに対する応答信号としてＮＡＣＫ信号を各移動局へフィードバックする必要があるとする。この場合、マッピング部１０３は、各移動局の上り回線データに対する応答信号（ＮＡＣＫ信号）を、各移動局の初回送信時の上り回線データが割り当てられたＲＢに関連付けられたＰＨＩＣＨが配置された下り回線リソースにマッピングする。なお、マッピング部１０３は、１つの移動局の上り回線データが複数のＲＢに割り当てられた場合、複数のＲＢのうちＲＢ番号が最も小さいＲＢに関連付けられたＰＨＩＣＨを使用する。具体的には、図８上段に示すように、移動局１の初回送信時の上り回線データが割り当てられたＲＢ＃１〜＃４のうちＲＢ番号が最も小さいＲＢはＲＢ＃１である。そこで、マッピング部１０３は、移動局１の初回送信時の上り回線データに対する応答信号を、ＲＢ＃１に関連付けられたＰＨＩＣＨ＃１が配置された下り回線リソースにマッピングする。同様に、図８上段に示すように、移動局２の初回送信時の上り回線データが割り当てられたＲＢはＲＢ＃１０である。そこで、マッピング部１０３は、移動局２の初回送信時の上り回線データに対する応答信号を、ＲＢ＃１０に関連付けられたＰＨＩＣＨ＃５が配置された下り回線リソースにマッピングする。
【００５２】
基地局１００から応答信号（ＮＡＣＫ信号）をそれぞれ受信した移動局１および移動局２は、上り回線データを再送する。ここで、各移動局は、図７に示すＦＨパターンに従って、再送時の上り回線データを上り回線ＲＢに割り当てる。すなわち、初回送信時に上り回線データをＲＢ＃１〜＃４に割り当てた移動局１は、図８下段に示すように、再送時の上り回線データをＲＢ＃７〜＃１０に割り当てる。同様に、初回送信時に上り回線データをＲＢ＃１０に割り当てた移動局２は、図８下段に示すように、再送時の上り回線データをＲＢ＃４に割り当てる。
【００５３】
そして、各移動局からの再送時の上り回線データが入力された分離部１１５は、各移動局と同様にして、図７に示すＦＨパターンに従って、ＲＢ＃７〜＃１０に割り当てられた移動局１の再送時の上り回線データ、および、ＲＢ＃４に割り当てられた移動局２の再送時の上り回線データを抽出する。
【００５４】
また、マッピング部１０３は、初回送信時と同様、各移動局の再送時の上り回線データに対する応答信号（ＡＣＫ信号またはＮＡＣＫ信号）をＰＨＩＣＨが配置された下り回線リソースにマッピングする。具体的には、図８下段に示すように、移動局１の再送時の上り回線データが割り当てられたＲＢ＃７〜＃１０のうちＲＢ番号が最も小さいＲＢはＲＢ＃７である。そこで、マッピング部１０３は、移動局１の再送時の上り回線データに対する応答信号を、ＲＢ＃７に関連付けられたＰＨＩＣＨ＃４が配置された下り回線リソースにマッピングする。同様にして、図８下段に示すように、移動局２の再送時の上り回線データが割り当てられたＲＢはＲＢ＃４である。そこで、マッピング部１０３は、移動局２の再送時の上り回線データに対する応答信号を、ＲＢ＃４に関連付けられたＰＨＩＣＨ＃２が配置された下り回線リソースにマッピングする。
【００５５】
よって、再送時においても、移動局１の上り回線データに対する応答信号と、移動局２の上り回線データに対する応答信号とは、それぞれ異なるＰＨＩＣＨを使用して送信されるため、移動局間でのＰＨＩＣＨの衝突が発生しない。
【００５６】
このように、本ホッピング方法によれば、初回送信時に異なるＰＨＩＣＨを使用した移動局が再送時に同一ＰＨＩＣＨを使用することがなくなるため、移動局間でのＰＨＩＣＨの衝突を回避することができる。
【００５７】
＜ホッピング方法２（図９）＞
本ホッピング方法におけるＦＨパターンでは、１つのブロックにブロック化されるＲＢの個数（Ｍ個）を、１つのグループにグループ化されるＲＢの個数（Ｎ個）の１倍とする。つまり、１つのブロックにブロック化されるＲＢの個数（Ｍ個）と、１つのグループにグループ化されるＲＢの個数（Ｎ個）とが同数となる。ここでは、Ｎ＝２であるので、１つのブロックにブロック化されるＲＢの個数（Ｍ個）は２個（＝Ｎ×１＝２）となる。
【００５８】
１つのブロックにブロック化するＲＢの個数（Ｍ個）を２個とした場合のＦＨパターンを図９に示す。
【００５９】
図９に示すように、上り回線ＲＢ＃１〜＃１０は２ＲＢ毎に複数のブロックにブロック化される。具体的には、図９に示すように、ＲＢ＃１、＃２の２ＲＢが１つのブロックにブロック化される。同様にして、ＲＢ＃３、＃４の２ＲＢが１つのブロックにブロック化される。ＲＢ＃５〜＃１０についても同様である。
【００６０】
そして、図９に示すように、初回送信時に１ブロックを構成するＲＢ＃１、＃２は、再送時にはＲＢ＃５、＃６にそれぞれホッピングされる。同様にして、初回送信時に１ブロックを構成するＲＢ＃３、＃４は、再送時にはＲＢ＃７、＃８にそれぞれホッピングされる。ＲＢ＃５〜＃１０についても同様である。
【００６１】
次いで、例えば、図１０上段に示すように、ホッピング方法１と同様、初回送信時に、移動局１の上り回線データがＲＢ＃１〜＃４に割り当てられ、移動局２の上り回線データがＲＢ＃１０に割り当てられた場合について説明する。
【００６２】
まず、分離部１１５は、ホッピング方法１と同様にして、移動局１の上り回線データ（図１０上段に示すＲＢ＃１〜＃４）および移動局２の上り回線データ（図１０上段に示すＲＢ＃１０）を特定し、移動局毎に上り回線データを抽出する。
【００６３】
ここで、移動局１および移動局２の上り回線データに誤りがあり、各移動局の上り回線データに対する応答信号としてＮＡＣＫ信号を各移動局へフィードバックする必要があるとする。この場合、図１０上段に示すように、マッピング部１０３は、ホッピング方法１と同様にして、移動局１の初回送信時の上り回線データに対する応答信号をＰＨＩＣＨ＃１が配置された下り回線リソースにマッピングし、移動局２の初回送信時の上り回線データに対する応答信号をＰＨＩＣＨ＃５が配置された下り回線リソースにマッピングする。
【００６４】
基地局１００から応答信号（ＮＡＣＫ信号）をそれぞれ受信した移動局１および移動局２は、上り回線データを再送する。ここで、各移動局は、図９に示すＦＨパターンに従って、再送時の上り回線データを上り回線ＲＢに割り当てる。すなわち、初回送信時に上り回線データをＲＢ＃１〜＃４に割り当てた移動局１は、図１０下段に示すように、再送時の上り回線データをＲＢ＃５〜＃８に割り当てる。同様に、初回送信時に上り回線データをＲＢ＃１０に割り当てた移動局２は、図１０下段に示すように、再送時の上り回線データをＲＢ＃４に割り当てる。
【００６５】
そして、各移動局からの再送時の上り回線データが入力された分離部１１５は、各移動局と同様にして、図９に示すＦＨパターンに従って、ＲＢ＃５〜＃８に割り当てられた移動局１の再送時の上り回線データ、および、ＲＢ＃４に割り当てられた移動局２の再送時の上り回線データを抽出する。
【００６６】
また、マッピング部１０３は、初回送信時と同様、各移動局の再送時の上り回線データに対する応答信号（ＡＣＫ信号またはＮＡＣＫ信号）をＰＨＩＣＨが配置された下り回線リソースにマッピングする。具体的には、図１０下段に示すように、移動局１の再送時の上り回線データが割り当てられたＲＢ＃５〜＃８のうちＲＢ番号が最も小さいＲＢはＲＢ＃５である。そこで、マッピング部１０３は、移動局１の再送時の上り回線データに対する応答信号を、ＲＢ＃５に関連付けられたＰＨＩＣＨ＃３が配置された下り回線リソースにマッピングする。同様にして、図１０下段に示すように、移動局２の再送時の上り回線データが割り当てられたＲＢはＲＢ＃４である。そこで、マッピング部１０３は、移動局２の再送時の上り回線データに対する応答信号を、ＲＢ＃４に関連付けられたＰＨＩＣＨ＃２が配置された下り回線リソースにマッピングする。
【００６７】
よって、ホッピング方法１と同様、再送時においても、移動局１の上り回線データに対する応答信号と、移動局２の上り回線データに対する応答信号とは、それぞれ異なるＰＨＩＣＨを使用して送信されるため、ホッピング方法１と同様、移動局間でのＰＨＩＣＨの衝突が発生しない。
【００６８】
このようにして、本ホッピング方法でも、ホッピング方法１と同様にして、移動局間のＰＨＩＣＨの衝突を回避することができる。
【００６９】
以上、ホッピング方法１、２について説明した。
【００７０】
このようにして、本実施の形態では、ＦＨパターンにおいて１つのブロックにブロック化するＲＢの個数（Ｍ個）を、１つのＰＨＩＣＨに関連付けられたグループにグループ化されるＲＢの個数（Ｎ個）の自然数倍とする。換言すると、１つのブロックにブロック化するＲＢの個数（Ｍ個）は、１つのＰＨＩＣＨに関連付けられたグループにグループ化されるＲＢの個数（Ｎ個）で割り切れる。つまり、１つのブロックがＰＨＩＣＨに関連付けられた複数のグループで構成されるため、複数のＲＢがブロック単位でホッピングされることは、ＰＨＩＣＨに関連付けられたグループ単位でホッピングされることと等価である。つまり、１つのグループを構成するＮ個のＲＢと、そのグループに関連付けられたＰＨＩＣＨとの関係を維持した状態で各ＲＢがホッピングされる。換言すると、複数のＲＢがブロック毎（グループ毎）にホッピングされるのに対して、複数のグループ毎に関連付けられたＰＨＩＣＨも、複数のＲＢのホッピングと同期してホッピングされる。つまり、ＰＨＩＣＨをホッピングさせるホッピングパターンを想定して、複数のＲＢをホッピングさせるＦＨパターンと、複数のグループ毎に関連付けられたＰＨＩＣＨをホッピングさせるＦＨパターンとを同期させることと等価である。これにより、初回送信時に互いに異なるＰＨＩＣＨが使用された移動局間では、再送時でも互いに異なるＰＨＩＣＨが使用される。すなわち、初回送信時に、異なる移動局間でＰＨＩＣＨが衝突しないようにＲＢを割り当てさえすれば、再送時でも、異なる移動局間でＰＨＩＣＨが衝突することがなくなる。
【００７１】
また、ここで、従来のＦＨパターン（図２）と本実施の形態におけるＦＨパターン（９）とを比較する。図２に示すＦＨパターンでは、初回送信時のＲＢ（例えば、図２に示すＲＢ＃１）と、再送時にホッピングされたＲＢ（例えば、図２に示すＲＢ＃６）とは、５ＲＢだけ離れている。これに対し、図９に示すＦＨパターンでは、初回送信時のＲＢ（例えば、図９に示すＲＢ＃１）と、再送時にホッピングされたＲＢ（例えば、図９に示すＲＢ＃５）とは、４ＲＢだけ離れている。つまり、図２に示すＦＨパターンの方が、図９に示すＦＨパターンよりも大きな周波数ダイバーシチ効果が得られる。しかし、複数個のＲＢ毎に複数のグループにグループ化され、グループ毎に１つのＰＨＩＣＨを関連付けるような場合には、移動局の数が少ないことが予想され、ＲＢ＃１〜＃１０のすべてのＲＢが使用される確率は小さい。そのため、他の移動局に割り当てられないＲＢが存在する場合には、上り回線データを割り当てる必要がある移動局に対して割り当てＲＢ数を増やすことができる。これにより、図９に示すＦＨパターンを用いる場合でも、図２に示すＦＨパターンと比較して周波数ダイバーシチ効果が得られにくくなるものの、移動局毎の割り当てＲＢ数を増やすことによって受信特性の劣化を防止することができる。つまり、本実施の形態に係るＦＨパターンを用いることで、受信特性を劣化することなく、移動局間でのＰＨＩＣＨの衝突を回避することができる。
【００７２】
このように、本実施の形態によれば、ＦＨパターンにおいて１つのブロックにブロック化されるＲＢの個数（Ｍ個）を、１つのグループにグループ化されるＲＢの個数（Ｎ個）の自然数倍とする。これにより、ＰＨＩＣＨと、ＰＨＩＣＨに関連付けられたグループを構成するＲＢとの間の対応関係がホッピング前後で維持される。このため、初回送信時（ホッピング前）に各移動局間で異なるＰＨＩＣＨを使用する場合には、再送時（ホッピング後）でも各移動局間でＰＨＩＣＨの衝突は発生しない。よって、本実施の形態によれば、ＦＨ再送方法とＰＨＩＣＨグループ化方法とを組み合わせて用いる場合に、移動局間のＰＨＩＣＨの衝突を回避することができる。
【００７３】
なお、本実施の形態では、１つのブロックにブロック化されるＲＢの個数（Ｍ個）を、１つのグループにグループ化されるＲＢの個数（Ｎ個）の自然数倍とする場合について説明した。しかし、本発明は、逆に、１つのグループにグループ化されるＲＢの個数（Ｎ個）を、１つのブロックにブロック化されるＲＢの個数（Ｍ個）より求めてもよい。この場合でも、本実施の形態と同様の効果を得ることができる。
【００７４】
（実施の形態２）
本実施の形態では、複数のＲＢをミラーリングさせるＦＨパターンを用いる場合について説明する。
【００７５】
以下、本実施の形態について具体的に説明する。
【００７６】
本実施の形態に係るマッピング部１０３（図６）は、１つの移動局の上り回線データが複数のＲＢに割り当てられる場合、再送回数に応じて、異なるＲＢに関連付けられたＰＨＩＣＨを使用する。具体的には、マッピング部１０３は、１つの移動局の上り回線データが複数のＲＢに割り当てられる場合、初回送信時には、実施の形態１と同様、ＲＢ番号が最も小さいＲＢに関連付けられたＰＨＩＣＨを使用するのに対し、再送時には、ＲＢ番号が最も大きいＲＢに関連付けられたＰＨＩＣＨを使用する。
【００７７】
以下、具体的に説明する。本実施の形態では、実施の形態１と同様、基地局１００は、図１に示す上り回線ＲＢ＃１〜＃１０のいずれかを用いて移動局から送信された上り回線データを受信する。そして、基地局１００は、図１に示すＰＨＩＣＨ＃１〜＃５に上り回線データに対する応答信号（ＡＣＫ信号またはＮＡＣＫ信号）を配置して移動局へ送信するものとする。
【００７８】
また、実施の形態１と同様、図１に示すように、ＲＢ＃１〜＃１０は隣接する２ＲＢ毎にグループ化され、グループ毎に１つのＰＨＩＣＨが関連付けられる。
【００７９】
また、本実施の形態では、図４に示すように、複数のＲＢをミラーリングさせるＦＨパターンを用いる。つまり、初回送信時のＲＢ番号がより小さいＲＢほど、再送時には、ＲＢ番号がより大きいＲＢ番号のＲＢにホッピングされる。具体的には、図４に示すように、初回送信時のＲＢ＃１は、再送時にはＲＢ＃１０にホッピングされる。同様に、初回送信時のＲＢ＃２は、再送時にはＲＢ＃９にホッピングされる。ＲＢ＃３〜＃１０についても同様である。
【００８０】
次いで、例えば、図１１に示すように、初回送信時に、移動局１の上り回線データがＲＢ＃１〜＃３に割り当てられ、移動局２の上り回線データがＲＢ＃４に割り当てられた場合について説明する。すなわち、基地局１００から各移動局に通知される割当情報には、移動局１の上り回線データがＲＢ＃１〜＃３に割り当てられ、移動局２の上り回線データがＲＢ＃４に割り当てられることが示される。
【００８１】
まず、分離部１１５は、実施の形態１と同様にして、移動局１の上り回線データ（図１１に示すＲＢ＃１〜＃３）および移動局２の上り回線データ（図１１に示すＲＢ#４）を特定し、移動局毎に上り回線データを抽出する。
【００８２】
ここで、移動局１および移動局２の上り回線データに誤りがあり、各移動局の上り回線データに対する応答信号としてＮＡＣＫ信号を各移動局へフィードバックする必要があるとする。この場合、マッピング部１０３は、１つの移動局の初回送信時の上り回線データが複数のＲＢに割り当てられる場合、実施の形態１と同様にして、ＲＢ番号が最も小さいＲＢに関連付けられたＰＨＩＣＨを使用する。具体的には、図１１上段に示すように、移動局１の初回送信時の上り回線データが割り当てられたＲＢ＃１〜＃３のうちＲＢ番号が最も小さいＲＢはＲＢ＃１である。そこで、マッピング部１０３は、移動局１の初回送信時の上り回線データに対する応答信号を、ＲＢ＃１に関連付けられたＰＨＩＣＨ＃１が配置された下り回線リソースにマッピングする。また、図１１上段に示すように、マッピング部１０３は、移動局の初回送信時の上り回線データに対する応答信号を、ＲＢ＃４に関連付けられたＰＨＩＣＨ＃２が配置された下り回線リソースにマッピングする。
【００８３】
基地局１００から応答信号（ＮＡＣＫ信号）をそれぞれ受信した移動局１および移動局２は、上り回線データを再送する。ここで、各移動局は、図４に示すＦＨパターンに従って、再送時の上り回線データを上り回線ＲＢに割り当てる。すなわち、初回送信時に上り回線データをＲＢ＃１〜＃３に割り当てた移動局１は、図１１下段に示すように、再送時の上り回線データをＲＢ＃１０〜＃８に割り当てる。同様に、初回送信時に上り回線データをＲＢ＃４に割り当てた移動局２は、図１１下段に示すように、再送時の上り回線データをＲＢ＃７に割り当てる。
【００８４】
そして、各移動局からの再送時の上り回線データが入力された分離部１１５は、各移動局と同様にして、図４に示すＦＨパターンに従って、ＲＢ＃１０〜＃８に割り当てられた移動局１の再送時の上り回線データ、および、ＲＢ＃７に割り当てられた移動局２の再送時の上り回線データを抽出する。
【００８５】
また、マッピング部１０３は、初回送信時と同様、各移動局の再送時の上り回線データに対する応答信号（ＡＣＫ信号またはＮＡＣＫ信号）をＰＨＩＣＨが配置された下り回線リソースにマッピングする。ただし、マッピング部１０３は、１つの移動局の再送時の上り回線データが複数のＲＢに割り当てられる場合、ＲＢ番号が最も大きいＲＢに関連付けられたＰＨＩＣＨを使用する。具体的には、図１１下段に示すように、移動局１の再送時の上り回線データが割り当てられたＲＢ＃１０〜＃８のうちＲＢ番号が最も大きいＲＢはＲＢ＃１０である。そこで、マッピング部１０３は、移動局１の再送時の上り回線データに対する応答信号を、ＲＢ＃１０に関連付けられたＰＨＩＣＨ＃５が配置された下り回線リソースにマッピングする。また、図１１下段に示すように、移動局２の再送時の上り回線データが割り当てられたＲＢはＲＢ＃７である。そこで、マッピング部１０３は、移動局２の再送時の上り回線データに対する応答信号を、ＲＢ＃７に関連付けられたＰＨＩＣＨ＃４が配置された下り回線リソースにマッピングする。
【００８６】
すなわち、実施の形態１と同様、再送時において、移動局１の上り回線データに対する応答信号と、移動局２の上り回線データに対する応答信号とは、それぞれ異なるＰＨＩＣＨを使用して送信されるため、実施の形態１と同様、移動局間でのＰＨＩＣＨの衝突が発生しない。
【００８７】
このように、本実施の形態では、１つの移動局に複数のＲＢが割り当てられた場合、初回送信時には、ＲＢ番号が最も小さいＲＢに関連付けられたＰＨＩＣＨが使用されるのに対し、再送時には、ＲＢ番号が最も大きいＲＢに関連付けられたＰＨＩＣＨが使用される。換言すると、初回送信時にＰＨＩＣＨと関連付けたＲＢ番号をミラーリングしたＲＢ番号のＲＢに関連付けられたＰＨＩＣＨが再送時に使用される。すなわち、１つの移動局に割り当てられる複数のＲＢのうち、初回送信時に、ＲＢ番号がより小さいＲＢ（図１１では最小のＲＢ番号）に関連付けられたＰＨＩＣＨを使用する場合、再送時では、ＲＢ番号がより大きいＲＢ（図１１では最大のＲＢ番号）に関連付けられたＰＨＩＣＨを使用する。換言すると、複数のＲＢがミラーリングによりホッピングされるのに対し、複数のグループ毎に関連付けられたＰＨＩＣＨも、複数のＲＢのホッピングに同期させてホッピングされる。つまり、ＰＨＩＣＨをホッピングさせるホッピングパターンを想定して、実施の形態１と同様、複数のＲＢをホッピングさせるＦＨパターンと、複数のグループ毎に関連付けられたＰＨＩＣＨをホッピングさせるＦＨパターンとを同期させることと等価である。これにより、再送時において、ＲＢと、使用するＰＨＩＣＨとの対応関係は、ＲＢ番号およびＰＨＩＣＨのチャネル番号が初回送信時に対して鏡像関係になるものの、初回送信時と同一の関係となる。つまり、初回送信時に移動局間でのＰＨＩＣＨの衝突が発生しないようにスケジューリングされた場合、再送時でも移動局間でのＰＨＩＣＨの衝突を回避することができる。
【００８８】
このようにして、本実施の形態によれば、複数のＲＢをミラーリングさせるＦＨパターンを用いる場合でも、実施の形態１と同様にして、ＦＨ再送方法とＰＨＩＣＨグループ化方法とを組み合わせて用いる場合に、移動局間のＰＨＩＣＨの衝突を回避することができる。
【００８９】
なお、本実施の形態では、マッピング部１０３は、１つの移動局の上り回線データが複数のＲＢに割り当てられる場合、再送回数に応じて、最小のＲＢ番号のＲＢに関連付けられたＰＨＩＣＨを使用するか、最大のＲＢ番号のＲＢに関連付けられたＰＨＩＣＨを使用するかを切り替える場合について説明した。しかし、本発明では、マッピング部１０３は、１つの移動局の上り回線データが複数のＲＢに割り当てられる場合、再送単位、例えば、ＲＴＴ（Round Trip Time）分のサブフレーム毎に、最小のＲＢ番号のＲＢに関連付けられたＰＨＩＣＨを使用するか、最大のＲＢ番号のＲＢに関連付けられたＰＨＩＣＨを使用するかを切り替えてもよい。ここで、各移動局は、ＲＴＴ分のサブフレーム間隔で同時に上り回線データ（送信データ）を基地局に送信する。同一時刻であっても移動局毎に再送回数は異なるため、再送回数に基づく場合には、最小のＲＢ番号のＲＢに関連付けられたＰＨＩＣＨを用いる移動局と、最大のＲＢ番号のＲＢに関連付けられたＰＨＩＣＨを用いる移動局とが存在してしまう可能性がある。これに対し、再送単位であるＲＴＴ分のサブフレームに基づく場合には、各移動局間で共通の切り替えに従ってＰＨＩＣＨを使用することができる。すなわち、同一時刻では、いずれの移動局でも、最小のＲＢ番号（または、最大のＲＢ番号）のＲＢに関連付けられたＰＨＩＣＨを用いる。これにより、移動局間でのＰＨＩＣＨの衝突をさらに回避することができる。
【００９０】
（実施の形態３）
本実施の形態では、複数のＲＢをミラーリングさせるＦＨパターンを用いる点については、実施の形態２と同じであるが、上り回線データの割り当てに使用される頻度が低いＲＢのみをグループ化して、グループ毎にＰＨＩＣＨを関連付ける点が実施の形態２と異なる。
【００９１】
図４に示すＦＨパターンにおいて、ＲＢ＃１〜＃１０のうち両端に位置するＲＢ、例えば、ＲＢ＃１（＃１０）は、９ＲＢだけ離れたＲＢ＃１０（＃１）にホッピングされ、ＲＢ＃２（＃９）は、７ＲＢだけ離れたＲＢ＃９（＃２）にホッピングされる。このように、ＲＢ＃１〜＃１０のうち両端に位置するＲＢでは、周波数ホッピングによる大きな周波数ダイバーシチ効果が得られる。よって、ＲＢ＃１〜＃１０のうち両端に位置するＲＢは、スケジューリングによって、移動局の上り回線データが優先的に割り当てられる。すなわち、両端に位置するＲＢは、周波数ホッピングに使用される頻度が高くなる。
【００９２】
これに対し、図４に示すＦＨパターンにおいて、ＲＢ＃１〜＃１０のうち中心付近に位置するＲＢ、例えば、ＲＢ＃３〜＃８は、最大でも５ＲＢだけ離れたＲＢにホッピングされる。そのため、ＲＢ＃１〜＃１０のうち中心付近に位置するＲＢでは、両端に位置するＲＢと比較すると、周波数ホッピングによる周波数ダイバーシチ効果が小さくなる。よって、中心付近に位置するＲＢは、スケジューリングによって、移動局の上り回線データが割り当てられにくくなる。すなわち、中心付近に位置するＲＢは、両端に位置するＲＢと比較すると、周波数ホッピングに使用される頻度が低くなる。
【００９３】
そこで、本実施の形態では、中心付近のＲＢのみを、１つのＰＨＩＣＨと関連付けるグループのグループ化対象とする。換言すると、中心付近以外のＲＢ、つまり、両端に位置するＲＢを、グループ化対象としない。
【００９４】
以下、具体的に説明する。本実施の形態では、基地局１００は、図１２に示す上り回線ＲＢ＃１〜＃１０のいずれかを用いて移動局から送信された上り回線データを受信する。そして、基地局１００は、図１２に示すＰＨＩＣＨ＃１〜＃７に上り回線データに対する応答信号（ＡＣＫ信号またはＮＡＣＫ信号）を配置して移動局へ送信するものとする。
【００９５】
また、図１２に示すように、ＲＢ＃１〜＃１０のうち、ＲＢ＃３〜＃８（中心付近に位置するＲＢ）のみを複数のグループにグループ化してＰＨＩＣＨに関連付ける対象とする。よって、図１２に示すように、ＲＢ＃３〜＃８は、連続する２ＲＢ毎に３個のグループにグループ化され、グループ毎に１つのＰＨＩＣＨが関連付けられる。具体的には、図１２に示すように、ＲＢ＃３およびＲＢ＃４がグループ化され、ＲＢ＃３とＲＢ＃４とからなるグループにＰＨＩＣＨ＃３が関連づけられ、ＲＢ＃５およびＲＢ＃６がグループ化され、ＲＢ＃５とＲＢ＃６とからなるグループにＰＨＩＣＨ＃４が関連づけられ、ＲＢ＃７およびＲＢ＃８がグループ化され、ＲＢ＃７とＲＢ＃８とからなるグループにＰＨＩＣＨ＃５が関連づけられる。
【００９６】
また、グループ化対象以外のＲＢ、すなわち、両端に位置するＲＢ＃１、＃２、＃９、＃１０は、それぞれ１つのＰＨＩＣＨが関連付けられる。具体的には、図１２に示すように、ＲＢ＃１にＰＨＩＣＨ＃１が関連付けられ、ＲＢ＃２にＰＨＩＣＨ＃２が関連付けられ、ＲＢ＃９にＰＨＩＣＨ＃６が関連付けられ、ＲＢ＃１０にＰＨＩＣＨ＃７が関連付けられる。
【００９７】
次いで、例えば、図１３上段に示すように、実施の形態１と同様、初回送信時に、移動局１の上り回線データがＲＢ＃１〜＃４に割り当てられ、移動局２の上り回線データがＲＢ＃１０に割り当てられた場合について説明する。また、ここでは、実施の形態１と同様、分離部１１５にて抽出された移動局１および移動局２の上り回線データに誤りがあり、各移動局の上り回線データに対する応答信号としてＮＡＣＫ信号を各移動局へフィードバックする必要がある場合について説明する。
【００９８】
この場合、図１３上段に示すように、移動局１の初回送信時の上り回線データが割り当てられたＲＢ＃１〜＃４のうちＲＢ番号が最も小さいＲＢはＲＢ＃１である。そこで、マッピング部１０３は、移動局１の初回送信時の上り回線データに対する応答信号を、ＲＢ＃１に関連付けられたＰＨＩＣＨ＃１が配置された下り回線リソースにマッピングする。同様にして、マッピング部１０３は、移動局２の初回送信時の上り回線データに対する応答信号を、ＲＢ＃１０に関連付けられたＰＨＩＣＨ＃７が配置された下り回線リソースにマッピングする。
【００９９】
次いで、再送時には、各移動局からの再送時の上り回線データが入力された分離部１１５は、図１３下段に示すＲＢ＃１０〜＃７に割り当てられた移動局１の再送時の上り回線データ、および、ＲＢ＃４に割り当てられた移動局２の再送時の上り回線データを抽出する。
【０１００】
そして、マッピング部１０３は、初回送信時と同様、各移動局の再送時の上り回線データに対する応答信号（ＡＣＫ信号またはＮＡＣＫ信号）をＰＨＩＣＨが配置された下り回線リソースにマッピングする。具体的には、図１３下段に示すように、移動局１の再送時の上り回線データが割り当てられたＲＢ＃１０〜＃７のうちＲＢ番号が最も小さいＲＢはＲＢ＃７である。そこで、マッピング部１０３は、移動局１の再送時の上り回線データに対する応答信号を、ＲＢ＃７に関連付けられたＰＨＩＣＨ＃５が配置された下り回線リソースにマッピングする。同様にして、図１３下段に示すように、移動局２の再送時の上り回線データが割り当てられたＲＢはＲＢ＃１である。そこで、マッピング部１０３は、移動局２の再送時の上り回線データに対する応答信号を、ＲＢ＃１に関連付けられたＰＨＩＣＨ＃１が配置された下り回線リソースにマッピングする。
【０１０１】
このように、上り回線データの割り当てに使用される頻度がより高い、両端に位置するＲＢ（図１２に示すＲＢ＃１、＃２、＃９、＃１０）では、複数の移動局に同時に使用される場合、それぞれのＲＢとＰＨＩＣＨとが１対１で関連付けられるため、ＰＨＩＣＨの衝突は発生しない。
【０１０２】
また、上り回線データの割り当てに使用される頻度がより低い、中心付近に位置するＲＢ（図１２に示すＲＢ＃３〜＃８）では、実施の形態２と同様にしてＦＨ再送方法とＰＨＩＣＨグループ化方法とを組み合わせて用いることで、実施の形態２と同様、ＰＨＩＣＨの衝突を回避することができる。また、中心付近に位置するＲＢ（図１２に示すＲＢ＃３〜＃８）では、複数の移動局に同時に使用される確率は小さい。よって、異なる移動局間でのＰＨＩＣＨが衝突する確率も小さくなり、システム全体に及ぼす影響は少ない。
【０１０３】
このようにして、本実施の形態によれば、上り回線データに使用される頻度が高いＲＢでは、ＲＢとＰＨＩＣＨとを１対１で関連付け、上り回線データに使用される頻度が低いＲＢでは、複数個のＲＢ毎にグループ化された複数のグループと複数のＰＨＩＣＨとを関連付ける。これにより、上り回線データに使用される頻度が高いＲＢを用いる移動局が使用するＰＨＩＣＨと、他の移動局が使用するＰＨＩＣＨとが衝突することがなくなる。また、上り回線データに使用される頻度が低いＲＢを用いる移動局が使用するＰＨＩＣＨが、他の移動局で使用され確率は小さいため、移動局間でのＰＨＩＣＨの衝突の確率も小さくなる。よって、本実施の形態によれば、実施の形態２と同様にして、移動局間でのＰＨＩＣＨの衝突を回避することができる。
【０１０４】
なお、本実施の形態では、上り回線データを割り当てる上り回線ＲＢを、使用される頻度に応じて２種類（使用される頻度が高いＲＢと使用される頻度が低いＲＢ）に分ける場合について説明した。しかし、本発明では、上り回線データを割り当てる上り回線ＲＢを、使用される頻度に応じて３種類以上に分けてもよい。そして、異なる種類に分けられたＲＢ毎に、ＰＨＩＣＨとの関連付けを異ならせてもよい。
【０１０５】
以上、本発明の実施の形態について説明した。
【０１０６】
なお、本発明では、上記実施の形態を組み合わせたものでもよい。例えば、実施の形態１と実施の形態２とを組み合わせて用いてもよい。具体的には、実施の形態１に基づいて上り回線ＲＢを複数のブロックにブロック化し、複数のＲＢをブロック単位でホッピングするとともに、各ブロック内では、さらに、実施の形態２に基づいてＲＢをホッピングしてもよい。または、実施の形態１に基づいて上り回線ＲＢを複数のブロックにブロック化し、実施の形態２に基づいて、複数のＲＢをブロック単位でホッピングしてもよい。
【０１０７】
また、上記説明で用いたサブフレームは、例えばタイムスロットやフレーム等、他の送信時間単位であってもよい。
【０１０８】
また、移動局はＵＥ、基地局装置はＮｏｄｅ  Ｂ、サブキャリアはトーンと称されることもある。また、ＣＰは、ガードインターバル（Guard Interval：ＧＩ）と称されることもある。
【０１０９】
また、周波数多重の方法はＯＦＤＭおよびＳＣ−ＦＤＭＡに限られない。
【０１１０】
また、上記実施の形態の説明で用いたＳＣＣＨは、上り回線データのリソース割当結果を通知するための制御チャネルであれば如何なるチャネルであってもよい。例えば、ＳＣＣＨに代えてＰＤＣＣＨ（Physical Downlink Control Channel）を用いてもよい。
【０１１１】
また、上記実施の形態では、初回送信時および１回目の再送時までの動作について説明したが、さらに上り回線データを再送する場合には、再び初回送信時の動作に戻って再送してもよい。
【０１１２】
また、上記実施の形態では、本発明をハードウェアで構成する場合を例にとって説明したが、本発明はソフトウェアで実現することも可能である。
【０１１３】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１１４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１１５】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１１６】
２００８年３月２５日出願の特願２００８−０７９０３２の日本出願に含まれる明細書、図面および要約書の開示内容は、すべて本願に援用される。
【産業上の利用可能性】
【０１１７】
本発明は、移動体通信システム等に適用することができる。
【図面の簡単な説明】
【０１１８】
【図１】複数の上り回線ＲＢと複数のＰＨＩＣＨとの関連付けを示す図
【図２】複数のＲＢを複数のブロックにブロック化させた場合のＦＨパターンを示す図
【図３】複数のＲＢを複数のブロックにブロック化させたＦＨパターンを用いる場合のＲＢ割当例を示す図
【図４】複数のＲＢをミラーリングさせたＦＨパターンを示す図
【図５】複数のＲＢをミラーリングさせたＦＨパターンを用いる場合のＲＢ割当例を示す図
【図６】本発明の実施の形態１に係る基地局の構成を示すブロック図
【図７】本発明の実施の形態１に係るＦＨパターンを示す図（ＭがＮの２倍の場合）
【図８】本発明の実施の形態１に係るＲＢ割当例を示す図
【図９】本発明の実施の形態１に係るＦＨパターンを示す図（ＭとＮとが同数の場合）
【図１０】本発明の実施の形態１に係るＲＢ割当例を示す図
【図１１】本発明の実施の形態２に係るＲＢ割当例を示す図
【図１２】本発明の実施の形態３に係る複数の上り回線ＲＢと複数のＰＨＩＣＨとの関連付けを示す図
【図１３】本発明の実施の形態３に係るＲＢ割当例を示す図
【手続補正３】
【補正対象書類名】図面
【補正対象項目名】全図
【補正方法】変更
【補正の内容】
【図１】
2009119067.tif 000016
【図２】
2009119067.tif 000017
【図３】
2009119067.tif 000018
【図４】
2009119067.tif 000019
【図５】
2009119067.tif 000020
【図６】
2009119067.tif 000021
【図７】
2009119067.tif 000022
【図８】
2009119067.tif 000023
【図９】
2009119067.tif 000024
【図１０】
2009119067.tif 000025
【図１１】
2009119067.tif 000026
【図１２】
2009119067.tif 000027
【図１３】
2009119067.tif 000028
【国際調査報告】
2009119067.tif 000029
2009119067.tif 000030
2009119067.tif 000031